(57)【要約】【課題】例えば、複数の第１の記録媒体を格納可能な媒体格納部を備える記録装置と、この記録装置についての制御を行う記録制御装置と、ユーザインタフェースとしての役割を果たす情報処理装置とを含んで構成される記録システムにおいて、上記媒体格納部に格納される第１の記録媒体に対し所要のカテゴリごとに分けてデータファイルを書き込むにあたり、上記情報処理装置側の処理負担を軽減する。【解決手段】情報処理装置は、エントリフォルダ内に書込指定されたデータファイルと指定されたカテゴリ情報を通知するインフォメーションファイルとをエントリする。記録制御装置はエントリされたインフォメーションファイルにより通知されるカテゴリ情報に基づき所要の第１の記録媒体を選択し、そこに上記エントリされたデータファイルが書き込まれるように制御する。これにより情報処理装置側の処理は上記エントリフォルダ内にファイルをエントリするのみとすることができる。【選択図】図８
2008047262.tif 000002
【特許請求の範囲】
【請求項１】
複数の第１の記録媒体を格納可能な媒体格納部と上記第１の記録媒体について記録を行う記録手段とを有する記録装置と、情報処理装置とを少なくとも含んで構成される記録システムであって、
少なくとも上記情報処理装置の外部に設けられる記録制御手段として、
上記媒体格納部に格納された第１の記録媒体と、上記第１の記録媒体に記録されるべきデータファイルがエントリされる第２の記録媒体とを１つのボリュームとしたルート下において、上記媒体格納部に格納される各第１の記録媒体を表すディレクトリと、上記第２の記録媒体を表すエントリフォルダとしてのディレクトリとを有するディレクトリ構造によって上記各第１の記録媒体と上記第２の記録媒体とについてのデータファイル管理を行うようにされると共に、
上記エントリフォルダ内に所要のデータファイルとカテゴリ情報を通知するインフォメーションファイルとが書き込まれたことに応じ、上記インフォメーションファイルにより通知される上記カテゴリ情報に基づき上記媒体格納部に格納される第１の記録媒体のうちから所要の第１の記録媒体を選択する処理と、
選択した第１の記録媒体に上記エントリフォルダ内に書き込まれた上記データファイルが記録されるように制御を行う処理と、
を実行する記録制御手段と、
上記情報処理装置に設けられ、
データファイルとそのカテゴリ情報とが指定されたことに応じ、指定されたデータファイルと、指定されたカテゴリ情報を通知するインフォメーションファイルとが上記エントリフォルダ内に書き込まれるように制御する処理を実行する情報処理制御手段と、
を備えることを特徴とする記録システム。
【請求項２】
複数の第１の記録媒体を格納可能な媒体格納部と上記第１の記録媒体について記録を行う記録手段とを有する記録装置と、情報処理装置とを少なくとも含んで構成される記録システムとして、上記媒体格納部に格納された第１の記録媒体と、上記第１の記録媒体に記録されるべきデータファイルがエントリされる第２の記録媒体とを１つのボリュームとしたルート下において、上記媒体格納部に格納される各第１の記録媒体を表すディレクトリと、上記第２の記録媒体を表すエントリフォルダとしてのディレクトリとを有するディレクトリ構造によって上記各第１の記録媒体と上記第２の記録媒体とについてのデータファイル管理を行うようにされた記録制御手段を備えた記録システムにおける記録方法であって、
上記記録制御手段により実行される手順として、
上記エントリフォルダ内に所要のデータファイルとカテゴリ情報を通知するインフォメーションファイルとが書き込まれたことに応じ、上記インフォメーションファイルにより通知される上記カテゴリ情報に基づき上記媒体格納部に格納される第１の記録媒体のうちから所要の第１の記録媒体を選択する手順と、
選択した第１の記録媒体に上記エントリフォルダ内に書き込まれた上記データファイルが記録されるように制御を行う手順と、を備えると共に、
上記情報処理装置により実行される手順として、
データファイルとそのカテゴリ情報とが指定されたことに応じ、指定されたデータファイルと、指定されたカテゴリ情報を通知するインフォメーションファイルとが上記エントリフォルダ内に書き込まれるように制御する手順を備える、
ことを特徴とする記録方法。
【請求項３】
複数の第１の記録媒体を格納可能な媒体格納部と上記第１の記録媒体について記録を行う記録手段とを有する記録装置と、情報処理装置とを少なくとも含んで構成される記録システムとして、少なくとも上記情報処理装置の外部に設けられ、上記記録装置の上記媒体格納部に格納された第１の記録媒体と、上記第１の記録媒体に記録されるべきデータファイルがエントリされる第２の記録媒体とを１つのボリュームとしたルート下において、上記媒体格納部に格納される各第１の記録媒体を表すディレクトリと、上記第２の記録媒体を表すエントリフォルダとしてのディレクトリとを有するディレクトリ構造によって上記各第１の記録媒体と上記第２の記録媒体とについてのデータファイル管理を行うようにされると共に、
上記エントリフォルダ内にデータファイルとカテゴリ情報を通知するインフォメーションファイルとが書き込まれたことに応じ、上記インフォメーションファイルにより通知される上記カテゴリ情報に基づき上記媒体格納部に格納される第１の記録媒体のうちから所要の第１の記録媒体を選択する処理と、
選択した第１の記録媒体に上記エントリフォルダ内に書き込まれた上記データファイルが記録されるように制御を行う処理と、を実行する記録制御手段を備えた記録システムにおける上記情報処理装置であって、
データファイルとそのカテゴリ情報とが指定されたことに応じ、指定されたデータファイルと、指定されたカテゴリ情報を通知するインフォメーションファイルとが上記エントリフォルダ内に書き込まれるように制御する処理を実行する情報処理制御手段を備える、
ことを特徴とする情報処理装置。
【請求項４】
上記記録制御手段は、
上記エントリフォルダ内に上記選択した第１の記録媒体を示す識別情報を通知するステータスファイルが書き込まれるように制御する処理をさらに実行するものとされ、
上記情報処理制御手段は、
上記エントリフォルダ内に上記ステータスファイルが書き込まれたことに応じ、当該ステータスファイルにより通知される識別情報と、上記指定されたデータファイルのファイル名と、上記指定されたカテゴリ情報とを対応づけて記憶する処理をさらに実行する、
ことを特徴とする請求項３に記載の情報処理装置。
【請求項５】
上記媒体格納部に格納される第１の記録媒体に対しては、外部の所要の記憶装置に記憶されたデータファイルを書き込むものとされ、
さらに表示手段と、操作入力手段とを備えると共に、
上記情報処理制御手段は、
上記外部の記憶装置に記憶されるデータファイルのファイル名の一覧を示す第１リスト情報と、上記媒体格納部に格納される各第１の記録媒体に記録されるデータファイルのファイル名の一覧を示すものであって各ファイル名ごとにそのデータファイルが記録される第１の記録媒体の識別情報とカテゴリ情報とが対応づけられた第２リスト情報とに基づくリストが、上記表示手段に表示されるように制御する処理と、
上記表示手段に表示される上記第１リスト情報に基づく第１リストのうちから指定されたデータファイルを、上記第２リスト情報に基づく第２リスト側に移動させるための操作が行われたことに応じ、当該指定されたデータファイルについてのカテゴリ情報を指定するためのカテゴリ選択画面が上記表示手段に表示されるように制御すると共に、上記カテゴリ選択画面からカテゴリ情報を指定する操作が行われたことに応じ、この指定されたカテゴリ情報を通知するインフォメーションファイルと、上記指定されたデータファイルとが上記エントリフォルダ内に書き込まれるように制御する処理と、
上記エントリフォルダ内に上記ステータスファイルが書き込まれたことに応じ、当該ステータスファイルにより通知される識別情報と、上記指定されたカテゴリ情報と、上記指定されたデータファイルのファイル名とが対応づけられて上記第２リスト情報に追加されるように制御を行う処理と、を実行する、
ことを特徴とする請求項３に記載の情報処理装置。
【請求項６】
複数の第１の記録媒体を格納可能な媒体格納部と上記第１の記録媒体について記録を行う記録手段とを有する記録装置と、情報処理装置とを少なくとも含んで構成される記録システムとして、少なくとも上記情報処理装置の外部に設けられ、上記記録装置の上記媒体格納部に格納された第１の記録媒体と、上記第１の記録媒体に記録されるべきデータファイルがエントリされる第２の記録媒体とを１つのボリュームとしたルート下において、上記媒体格納部に格納される各第１の記録媒体を表すディレクトリと、上記第２の記録媒体を表すエントリフォルダとしてのディレクトリとを有するディレクトリ構造によって上記各第１の記録媒体と上記第２の記録媒体とについてのデータファイル管理を行うようにされると共に、
上記エントリフォルダ内にデータファイルとカテゴリ情報を通知するインフォメーションファイルとが書き込まれたことに応じ、上記インフォメーションファイルにより通知される上記カテゴリ情報に基づき上記媒体格納部に格納される第１の記録媒体のうちから所要の第１の記録媒体を選択する処理と、
選択した第１の記録媒体に上記エントリフォルダ内に書き込まれた上記データファイルが記録されるように制御を行う処理と、を実行する記録制御手段を備えた上記記録システムにおける情報処理制御方法であって、
データファイルとそのカテゴリ情報とが指定されたことに応じ、指定されたデータファイルと、指定されたカテゴリ情報を通知するインフォメーションファイルとが上記エントリフォルダ内に書き込まれるように制御する手順を備える、
ことを特徴とする情報処理制御方法。
【請求項７】
複数の第１の記録媒体を格納可能な媒体格納部と上記第１の記録媒体について記録を行う記録手段とを有する記録装置についての制御を行う記録制御装置であって、
上記媒体格納部に格納された第１の記録媒体と、上記第１の記録媒体に記録されるべきデータファイルがエントリされる第２の記録媒体とを１つのボリュームとしたルート下において、上記媒体格納部に格納される各第１の記録媒体を表すディレクトリと、上記第２の記録媒体を表すエントリフォルダとしてのディレクトリとを有するディレクトリ構造によって上記各第１の記録媒体と上記第２の記録媒体とについてのデータファイル管理を行うようにされると共に、
上記エントリフォルダ内に所要のデータファイルとカテゴリ情報を通知するインフォメーションファイルとが書き込まれたことに応じ、上記インフォメーションファイルにより通知される上記カテゴリ情報に基づき上記媒体格納部に格納される第１の記録媒体のうちから所要の第１の記録媒体を選択する処理と、
選択した第１の記録媒体に上記エントリフォルダ内に書き込まれた上記データファイルが記録されるように制御を行う処理と、
を実行する記録制御手段を備える、
ことを特徴とする記録制御装置。
【請求項８】
上記記録制御手段は、
上記エントリフォルダ内に上記選択した第１の記録媒体を示す識別情報を通知するステータスファイルが書き込まれるように制御する処理をさらに実行する、
ことを特徴とする請求項７に記載の記録制御装置。
【請求項９】
上記記録制御手段は、
上記媒体格納部に格納される各第１の記録媒体について、少なくともそのカテゴリ情報を管理するようにされていると共に、
上記エントリフォルダ内にデータファイルとカテゴリ情報を通知するインフォメーションファイルとが書き込まれたことに応じ、上記媒体格納部に格納される第１の記録媒体のうちから上記インフォメーションファイルにより通知される上記カテゴリ情報と一致するカテゴリ情報を有する所要の第１の記録媒体を選択する処理と、
選択した第１の記録媒体に上記エントリフォルダ内に書き込まれた上記データファイルが記録されるように制御を行う処理と、
上記エントリフォルダ内に上記選択した第１の記録媒体を示す識別情報を通知するステータスファイルが書き込まれるように制御する処理と、を実行する、
ことを特徴とする請求項７に記載の記録制御装置。
【請求項１０】
上記記録制御手段は、
上記媒体格納部に格納される各第１の記録媒体について、そのカテゴリ情報と残容量の情報を管理するようにされていると共に、
上記エントリフォルダ内にデータファイルとカテゴリ情報を通知するインフォメーションファイルとが書き込まれたことに応じ、上記媒体格納部に格納される第１の記録媒体について、上記インフォメーションファイルにより通知される上記カテゴリ情報と一致するカテゴリ情報を有する第１の記録媒体の有無を判別する処理を行うと共に、
上記カテゴリ情報が一致する第１の記録媒体がなかった場合には、
上記媒体格納部に格納される第１の記録媒体のうちから未記録とされる第１の記録媒体を選択し、その選択した第１の記録媒体に対し上記エントリフォルダ内に書き込まれた上記データファイルが書き込まれるように制御する処理を行い、
上記カテゴリ情報が一致する第１の記録媒体があった場合には、
その第１の記録媒体の残容量の情報に基づき、上記エントリフォルダ内に書き込まれたデータファイルを記録可能な第１の記録媒体の有無を判別し、上記データファイルを記録可能な第１の記録媒体がないとされた場合は、上記媒体格納部に格納される第１の記録媒体のうちから未記録とされる第１の記録媒体を選択し、その選択した第１の記録媒体に対し上記エントリフォルダ内に書き込まれた上記データファイルが書き込まれるように制御する処理を行い、上記データファイルを記録可能な第１の記録媒体があるとされた場合は、そのうちの所要の第１の記録媒体に対して上記エントリフォルダ内に書き込まれた上記データファイルが書き込まれるように制御する処理を実行する、
ことを特徴とする請求項７に記載の記録制御装置。
【請求項１１】
上記記録制御手段は、
上記選択した第１の記録媒体に対し少なくとも上記エントリフォルダ内に書き込まれた上記データファイルが書き込まれたことに応じ、上記エントリフォルダ内から上記データファイルと上記インフォメーションファイルとが削除されるように制御を行う、
ことを特徴とする請求項７に記載の記録制御装置。
【請求項１２】
複数の第１の記録媒体を格納可能な媒体格納部と上記第１の記録媒体について記録を行う記録手段とを有する記録装置についての制御を行う記録制御装置として、上記媒体格納部に格納された第１の記録媒体と、上記第１の記録媒体に記録されるべきデータファイルがエントリされる第２の記録媒体とを１つのボリュームとしたルート下において、上記媒体格納部に格納される各第１の記録媒体を表すディレクトリと、上記第２の記録媒体を表すエントリフォルダとしてのディレクトリとを有するディレクトリ構造によって上記各第１の記録媒体と上記第２の記録媒体とについてのデータファイル管理を行うようにされた記録制御手段を備えた記録制御装置における記録制御方法であって、
上記エントリフォルダ内に所要のデータファイルとカテゴリ情報を通知するインフォメーションファイルとが書き込まれたことに応じ、上記インフォメーションファイルにより通知される上記カテゴリ情報に基づき上記媒体格納部に格納される第１の記録媒体のうちから所要の第１の記録媒体を選択する手順と、
選択した第１の記録媒体に上記エントリフォルダ内に書き込まれた上記データファイルが記録されるように制御を行う手順と、を備える、
ことを特徴とする記録制御方法。
【発明の詳細な説明】
【技術分野】
【０００１】
本発明は、特に複数の記録媒体を格納可能な媒体格納部に格納された記録媒体についてのデータファイルの書込に適用して好適な記録システムと記録方法に関する。また、このような記録システムを構成する情報処理装置と情報処理制御方法、及び記録制御装置と記録制御方法に関する。
【背景技術】
【０００２】
従来より、テレビジョン放送等の放送業者や番組制作業者等は、放送済みのＡＶ（Audio Visual）コンテンツ等を所定の記録媒体に蓄積し、それらを資料として保存するといったことを行っている（以下、このような行為をアーカイブとも言う）。
このようなアーカイブを行うために用いられる従来のアーカイブシステムについて説明するために、図１を参照する。
この図１に示されるようにしてアーカイブシステムは、例えばイーサネット等の所定のネットワーク５を介してそれぞれデータ通信可能に接続されたカート制御装置３、パーソナルコンピュータ４、サーバ装置６と、上記カート制御装置３によりその動作が制御されるカート２とを備えている。
【０００３】
上記サーバ装置６は、アーカイブされるべきＡＶコンテンツの格納場所となる。このサーバ装置６としては、例えばオンエアサーバと呼ばれる放送番組としてのＡＶコンテンツが格納されるサーバ装置か、或いは編集済み素材としてのＡＶコンテンツが格納されたノンリニア編集器であると考えればよい。
【０００４】
また、カート２は、内部に多数の光ディスクを格納するディスク格納部と、光ディスクについての記録再生を行うデッキ部とを備え、上記ディスク格納部に格納される光ディスクについての記録再生を行うことが可能に構成される。
【０００５】
また、カート制御装置３は、カート２のデータインタフェース部及び制御部として機能し、外部からカート２へのデータ書込指示の受け付けや、このような書込指示に応じたカート２内の使用デッキや使用ディスクの選択・指示等も行う。
ここで、カート制御装置３は、カート２における各光ディスクの残容量や、ディスク格納部内での格納位置の情報を管理しており、これによって書込指示データの容量に応じてその書込が可能な光ディスクを選択したり、また、選択した光ディスクの格納位置及び使用するデッキ部をカート２に指示するようにされている。
カート２は、このようにしてカート制御装置３により指示した格納位置に格納される光ディスクを指示されたデッキ部に搬送・装填し、当該デッキ部にて書込指示データの書込を行うことになる。
【０００６】
このようなアーカイブシステムにおいては、サーバ装置６に格納されるＡＶコンテンツを、カート２に格納される光ディスクに対して書き込むようにされる。そして、このようにしてサーバ装置６内のコンテンツのカート２内の光ディスクへの書込を行うにあっては、パーソナルコンピュータ４がそのユーザインタフェース部として機能するようにされている。
【０００７】
パーソナルコンピュータ４は、サーバ装置６内のＡＶコンテンツの格納状況と、カート２内に格納される各光ディスク内のＡＶコンテンツの格納状況とを把握しており、表示画面上にサーバ装置６側に格納されるＡＶコンテンツのリストと、カート２内の光ディスクにより格納されるＡＶコンテンツのリストとを提示したＧＵＩ（Graphical User Interface）を表示することができる（例えば図７（ａ）参照）。
オペレータ等のユーザは、このようにして表示されたＧＵＩ上において、サーバ装置６側のリスト内のＡＶコンテンツを選択し、これを例えばカート２側のリストにドラッグ＆ドロップする操作を行うことで、選択したＡＶコンテンツのカート２側への書込を指示することができる。
【０００８】
この指示に応じパーソナルコンピュータ４は、サーバ装置６に対し、上記選択されたＡＶコンテンツのカート制御装置３への転送を指示する。また、これと共にカート制御装置３に対しては、このように転送されるＡＶコンテンツのカート２内の光ディスクへの書込を指示する。
【０００９】
カート制御装置３は、書込指示されたＡＶコンテンツについて、先ずはその容量をチェックして、カート２内に格納される空き容量のある光ディスクのうち当該ＡＶコンテンツを書込可能な光ディスクを選択する。そして、このように選択した光ディスクのディスク格納部における格納位置と、使用するデッキ部とをカート２に指示することで、カート２内の指示したデッキ部に、指示した光ディスクを搬送・装填させる。
その上で、書込指示されたＡＶコンテンツが指示したデッキ部によって書き込まれるようにカート２に対する指示を行う。
【００１０】
なお、関連する従来技術については下記特許文献を挙げることができる。
【特許文献１】特開２００１−１０１８３３号公報
【特許文献２】特開２０００−１７３１５４号公報
【特許文献３】特開平１１−１３４７６６号公報
【発明の開示】
【発明が解決しようとする課題】
【００１１】
ところで、このようなアーカイブシステムにおいては、ＡＶコンテンツをその内容に応じてカテゴリ分けしてそれぞれの光ディスクに書き込むということが考えられる。例えば、スポーツ番組によるＡＶコンテンツについてはスポーツ番組としてのカテゴリに指定した光ディスクに書込を行うといったものである。
【００１２】
このとき、１枚の光ディスクに異なるカテゴリのコンテンツが格納される状態は好ましくないので、例えば或るカテゴリＡのコンテンツを記録した光ディスクには、以降、カテゴリＡのコンテンツのみを書き込むべきものとなる。
ここで、このように同カテゴリの光ディスクに同カテゴリのコンテンツを書き込むには、コンテンツの書込指示が行われたことに応じ、先ずは指示されたコンテンツと同カテゴリのディスクがカート内にあるか否かを判別することになる。
そして、同カテゴリの光ディスクがあった場合は、それらのうち、書込指示されたコンテンツを残容量的に書き込むことができる光ディスクがあるか否かを判別し、あった場合にはその光ディスクに対して書込指示されたコンテンツを書き込む、といった流れが考えられる。
【００１３】
また、この際、各光ディスクのカテゴリ分け（カテゴライズ）は、書込指示されたコンテンツのカテゴリが判明した後に行うことが好ましい。つまり、コンテンツの書込指示前に予め各光ディスクのカテゴリを決めておいてしまうと、例えばカテゴリＡによるコンテンツの書込指示が多く、別のカテゴリＢによる光ディスクは余っているが、当該カテゴリＡによる光ディスクが全て使用されてしまうなどカート２内の光ディスクの使用ムラができ、この結果カート２への光ディスクの入れ替えを頻繁に行わなくてはならない等の不都合が生じる可能性がある。
このため光ディスクのカテゴライズは、書込指示が為された後に、その書込指示コンテンツのカテゴリが判明してから行うものとして、カート２内の光ディスクを満遍なく使用できるようにすることが好ましいものとなる。
【００１４】
上記のようなカテゴリごとのデータファイルの書込を想定した場合において、先に説明した従来のアーカイブシステムでは、カート制御装置３はこのようなカテゴリごとの書込機能は有していない。この場合、書き込むべきデータファイルのカテゴリを指定するのはパーソナルコンピュータ４側であり、従ってアーカイブシステムとしてこのようなカテゴリごとのデータファイルの書込機能を実現するにあたっては、パーソナルコンピュータ４側が上述したようなカテゴリ分けされた光ディスクごとの残容量管理や残容量に応じた光ディスクの選択等を行うことが考えられる。
【００１５】
しかしながら、これによると、コンテンツのカート２への書込時におけるパーソナルコンピュータ４側の処理負担が従来よりも増大してしまうことになる。先の説明からも理解されるようにパーソナルコンピュータ４は、コンテンツのカート２への書込時にはサーバ装置６に対する指示のための処理等も行うようにされているので、これを考慮すると、その処理負担はできる限り軽減されることが好ましい。
【課題を解決するための手段】
【００１６】
そこで、本発明では以上のような問題点に鑑み、記録システムとして以下のように構成することとした。
つまり、本発明の記録システムは、複数の第１の記録媒体を格納可能な媒体格納部と上記第１の記録媒体について記録を行う記録手段とを有する記録装置と、情報処理装置とを少なくとも含んで構成される記録システムであって、少なくとも上記情報処理装置の外部に設けられる記録制御手段として、
上記媒体格納部に格納された第１の記録媒体と、上記第１の記録媒体に記録されるべきデータファイルがエントリされる第２の記録媒体とを１つのボリュームとしたルート下において、上記媒体格納部に格納される各第１の記録媒体を表すディレクトリと、上記第２の記録媒体を表すエントリフォルダとしてのディレクトリとを有するディレクトリ構造によって上記各第１の記録媒体と上記第２の記録媒体とについてのデータファイル管理を行うようにされると共に、
上記エントリフォルダ内に所要のデータファイルとカテゴリ情報を通知するインフォメーションファイルとが書き込まれたことに応じ、上記インフォメーションファイルにより通知される上記カテゴリ情報に基づき上記媒体格納部に格納される第１の記録媒体のうちから所要の第１の記録媒体を選択する処理と、
選択した第１の記録媒体に上記エントリフォルダ内に書き込まれた上記データファイルが記録されるように制御を行う処理と、を実行する記録制御手段を備える。
また、上記情報処理装置に設けられ、データファイルとそのカテゴリ情報とが指定されたことに応じ、指定されたデータファイルと、指定されたカテゴリ情報を通知するインフォメーションファイルとが上記エントリフォルダ内に書き込まれるように制御する処理を実行する情報処理制御手段を備えるものである。
【００１７】
上記本発明によれば、媒体格納部に格納される第１の記録媒体に対し所要のカテゴリごとに分けてデータファイルを書き込むとして、データファイルとそのカテゴリ情報とが指定されたことに応じては、情報処理装置が、その指定されたデータファイルと指定されたカテゴリ情報を通知するインフォメーションファイルとが外部の記録制御手段により管理されるエントリフォルダとしての所定のディレクトリに書き込まれるように制御を行う。そして、これに応じ上記記録制御手段は、上記インフォメーションファイルにより通知されるカテゴリ情報に基づき、上記媒体格納部に格納される第１の記録媒体のうちから所要の第１の記録媒体を選択し、この選択した第１の記録媒体に対して上記指定されたデータファイルが書き込まれるように制御を行う。
これによれば、媒体格納部に格納される第１の記録媒体に対し所要のカテゴリごとに分けてデータファイルを書き込むにあたり、情報処理装置側としては、上記エントリフォルダとしての所定のディレクトリに指定されたデータファイルとカテゴリ情報（インフォメーションファイル）を書き込むのみでよいものとなる。
【発明の効果】
【００１８】
このようにして本発明によれば、複数の第１の記録媒体を格納可能な媒体格納部に格納される第１の記録媒体に対し所要のカテゴリごとに分けてデータファイルを書き込むにあたり、情報処理装置側は、上記エントリフォルダとしての所定のディレクトリに指定されたデータファイルとカテゴリ情報（インフォメーションファイル）を書き込むだけでよいものとすることができる。
これによれば、例えば情報処理装置側で指定カテゴリ情報に応じてデータファイルを書き込むべき第１の記録媒体の選択を行う場合と比較して、情報処理装置側の処理負担を軽減することができる。
【発明を実施するための最良の形態】
【００１９】
以下、発明を実施するための最良の形態（以下実施の形態とする）について説明していく。
［システム概要］
図１は、本発明の記録システムの一実施形態としての、アーカイブシステム１の概要を示している。
この図１において、アーカイブシステム１は、特にテレビジョン放送の放送番組等のＡＶ（Audio Visual）コンテンツを所定の記録媒体に蓄積し、それらを資料として保存する（以下、このような行為をアーカイブとも言う）ために構築された業務用のシステムである。
【００２０】
図示するようにしてこのアーカイブシステム１は、カート２、カート制御装置３、パーソナルコンピュータ４、及びサーバ装置６を少なくとも含んで構成される。この場合、カート２が本発明でいう記録装置に相当し、パーソナルコンピュータ４が本発明でいう情報処理装置に相当し、また、本発明でいう記録制御手段は、この場合はカート制御装置３内の後述するＣＰＵ３１により実現されるものとなる。すなわち、記録制御手段が記録装置の外部にある場合を例示している。
【００２１】
このアーカイブシステム１においては、上記カート制御装置３とパーソナルコンピュータ４とサーバ装置６とが、例えばイーサネットなどとされるネットワーク５を介してデータ通信可能に接続されている。また、カート２は、カート制御装置３とデータ通信可能に接続されている。
【００２２】
カート２は、内部に複数の光ディスク記録媒体（後述するディスクＤ）を格納するディスク格納部（ディスク格納部２５）と、ディスク格納部に格納された光ディスク記録媒体についての記録再生を行う記録再生デッキ（後述するデッキ部２６-１〜２６-3）を備え、指示された光ディスク記録媒体についてデータの記録再生を行う。
【００２３】
また、カート制御装置３は、上記ネットワーク５を介して接続される外部機器（この場合は特にパーソナルコンピュータ４）がカート２にアクセスする際のデータインタフェース部、及びカート２の制御部として機能し、外部からカート２へのデータ書込指示の受け付けや、書込指示に応じたカート２内の使用デッキや使用ディスクの選択・指示等を行うようにされている。
【００２４】
また、サーバ装置６は、カート２内の光ディスクＤに記録されるべきＡＶコンテンツ（図中ＡＶファイルＦ-av）が格納される記憶装置として機能する。このサーバ装置６としては、例えばオンエアサーバと呼ばれる放送番組としてのＡＶコンテンツが格納されるサーバ装置か、或いは編集済み素材としてのＡＶコンテンツが格納されたノンリニア編集器であると考えればよい。
【００２５】
そして、このアーカイブシステム１においては、パーソナルコンピュータ４が、サーバ装置６に格納されるＡＶコンテンツをカート２に格納される光ディスクに対して書き込む際のユーザインタフェース部として機能する。このようなユーザインタフェース機能を実現するために、パーソナルコンピュータ４には後述するアーカイブ用アプリケーション５０ａがインストールされている。後述もするようにこのアーカイブ用アプリケーション５０ａによっては、サーバ装置６に格納されるＡＶファイルＦ-avと、カート２内のディスク格納部２５内に格納される各光ディスクＤに記録されたＡＶファイルＦ-avとについてのリストが生成され、ユーザはこのリストに基づきサーバ装置６側とカート２側とに格納されるＡＶファイルＦ-avを把握することができる。
ユーザは、このようなアーカイブ用アプリケーション５０ａを起動させた状態で、その画面指示に従った操作入力を行うことで、サーバ装置６側に格納されるＡＶファイルＦ-avをカート２内の所要の光ディスクＤに書き込ませることができる。
【００２６】
［記録装置の構成］
図２は、図１に示されるカート２の内部構成を示すブロック図である。
先ず、カート２内には、複数の光ディスクＤを格納可能なディスク格納部２５が設けられる。このディスク格納部２５は、図示するようにして格納スロットＢin-1〜Ｂin-nまでの複数の格納スロットＢinが形成されており、各格納スロットＢin内に光ディスクＤを格納可能とされる。
【００２７】
また、カート２には記録再生部２６が設けられる。この記録再生部２６には、光ディスクＤについての実際の記録再生を行う部位として、図示するようにして複数のデッキ部２６-1、２６-2、２６-3が設けられている。
記録再生部２６は、後述するコントローラ２２からの記録データの供給、及びデッキ部２６-1〜２６-3により再生された再生データのコントローラ２２への供給が可能とされる。
【００２８】
ディスク搬送部２４は、ディスク格納部２５内の格納スロットＢinに格納された光ディスクＤを上記記録再生部２６内のデッキ部２６-1〜２６-3に搬送・装填し、またデッキ部２６-1〜２６-3から排出された光ディスクＤを格納スロットＢin内に戻すための部位である。図示は省略しているが、このディスク搬送部２４には、ディスク格納部２５内の各格納スロットＢinとデッキ部２６-1〜２６-3との間で光ディスクＤを搬送するためのメカ部と、これを駆動する駆動モータ等から成る。
そして、このようなディスク搬送部２４による搬送動作を制御するための搬送制御部２３が設けられる。この搬送制御部２３は、コントローラ２２からの指示に基づきディスク搬送部２４の搬送動作を制御することで、指示された格納スロットＢinとデッキ部との間の光ディスクＤの搬送動作をディスク搬送部２４に実行させる。
【００２９】
外部データインタフェース２１は、インタフェース端子Ｔioを介して接続された外部機器（この場合はカート制御装置３）と間でデータ通信を行うために設けられる。この外部データインタフェース２１は、コントローラ２２から送信データが供給された場合、これをインタフェース端子Ｔioを介してカート制御装置３に対して送信する。またインタフェース端子Ｔioを介してカート制御装置３から送信されてきたデータを受信し、これをコントローラ２２に受け渡す。
【００３０】
コントローラ２２は、当該カート２の全体制御を行う。このコントローラ２２は、例えばＣＰＵ（Central Processing Unit）、ＲＯＭ（Read Only Memory）、ＲＡＭ（Random Access Memory）を備えたマイクロコンピュータで構成され、例えば上記ＲＯＭに格納されたプログラムに従った動作を実行することで各部の制御を行うようにされる。
例えば、カート制御装置３からのデータファイルの書込コマンドが上記外部データインタフェース２１を介して受信された場合には、データファイル書込のための制御処理を実行する。具体的に、このようなカート制御装置３からのデータファイルの書込コマンドによっては、書込対象の光ディスクＤが格納される格納スロットＢinの番号情報と使用するデッキ部の番号情報とが指示される。コントローラ２２は、指示された格納スロットＢinの番号情報とデッキ部の番号情報とを搬送制御部２３に指示する。これに応じ搬送制御部２３は、これらの番号情報により指示される格納スロットＢinからデッキ部に光ディスクＤが搬送・装填されるようにディスク搬送部２３の動作を制御する。
また、コントローラ２２は、カート制御装置３から書込を行うべきデータファイルが転送されてきたことに応じては、これを上記指示された番号情報により特定されるデッキ部に供給し、当該デッキ部にデータファイルの書込動作を実行させる。
【００３１】
［記録制御装置の構成］
図３は、図１に示したカート制御装置３の内部構成を示すブロック図である。
図３において、先ずＣＰＵ３１は、起動されたプログラムに基づいてカート制御装置３の全体制御、演算処理を行う。例えばＨＤＤ（Hard Disc Drive）３５へのデータファイルの格納や管理情報の作成・更新や、後述する外部データインタフェース３４を介して接続されたカート２に対する記録制御のための処理等を行う。
ＣＰＵ３１は図示するバス３６を介して各部との間で制御信号やデータのやりとりを行うようにされる。
【００３２】
メモリ部３２は、ＣＰＵ３１が処理に用いるＲＯＭ、ＲＡＭ、フラッシュメモリなどを包括的に示している。メモリ部３２におけるＲＯＭにはＣＰＵ３１の動作プログラム、プログラムローダー等が記憶される。また、メモリ部３２におけるフラッシュメモリには、各種演算係数、プログラムで用いるパラメータ等が記憶される。さらに、メモリ部３２におけるＲＡＭにはプログラムを実行する上でのデータ領域、タスク領域が一時的に確保される。
【００３３】
ネットワークインタフェース３３は、図示するネットワーク端子Ｔntを介して図１に示したネットワーク５と接続されており、当該ネットワーク５に接続された外部機器（この場合はパーソナルコンピュータ４、サーバ装置６）との間でデータ通信を行う。
ネットワークインタフェース３３は、ＣＰＵ３１の制御に基づいて送信データのエンコード処理、受信データのデコード処理を行う。エンコードされた上記送信データについては、ネットワーク５を介して所定の外部機器に対して送信する。またネットワーク５を介して外部機器から送信されてきたデータを受信し、これをＣＰＵ３１に受け渡す。
【００３４】
外部データインタフェース３４は、インタフェース端子Ｔioを介して接続された外部機器（この場合はカート２）と間でデータ通信を行うために設けられる。外部データインタフェース３４は、ＣＰＵ３１から送信データが供給された場合、これをインタフェース端子Ｔioを介してカート２に対して送信する。またインタフェース端子Ｔioを介してカート２から送信されてきたデータを受信し、これをＣＰＵ３１に受け渡す。
【００３５】
ＨＤＤ３５においては、上述のようにしてＣＰＵ３１の制御に基づきデータファイルの格納や管理情報の作成・更新等が行われる。例えば、上記ネットワークインタフェース３３を介してサーバ装置６側から転送されたＡＶファイルＦ-avとしてのデータファイルは、このＨＤＤ３５に一時格納することができる。
また、このＨＤＤ３５には、カート２内のディスク格納部２５に格納される各光ディスクＤについて、その格納場所（格納スロットＢinの番号情報）や記録されるデータファイルの管理を行うためのカート管理情報３５ｂが格納される。
【００３６】
ここで、このカート管理情報３５ｂのデータ構造を図６に示す。
図示するようにカート管理情報３５ｂは、ディスクＩＤごとに、その残容量、最終アクセス日時、保管場所（Ｂin番号）、格納ファイル名、カテゴリ情報の各情報が対応づけられたものとなる。
上記ディスクＩＤは、個々の光ディスクＤを識別するための識別情報であり、各光ディスクＤに固有のＩＤ情報である。
また、残容量、最終アクセス日時、保管場所、格納ファイル名の情報は、光ディスクＤごとに、その記録容量の残量、最後にアクセス（記録・再生）された日時、格納される格納スロットＢinの番号情報、指定したカテゴリの情報、記録されるファイルのファイル名の情報を表す。
【００３７】
ここで、本実施の形態の場合、個々の光ディスクＤには、上記ディスクＩＤの情報が例えばバーコードラベルにより記録される。
先の図２に示したカート２では、格納スロットＢinに光ディスクＤが新規に格納されると、その光ディスクＤに付されたバーコードラベルに記録されたディスクＩＤが読み取られ、このディスクＩＤがコントローラ２２に転送される。コントローラ２２は、転送されたディスクＩＤとこのディスクＩＤの記録された光ディスクＤが格納された格納スロットＢinの番号情報（Ｂin番号）とを、カート制御装置３のＣＰＵ３１に転送する。
ＣＰＵ３１は、このように転送されたディスクＩＤとＢin番号とを対応づけてカート管理情報３５ｂに追加する。このような動作が行われることで、カート制御装置３におけるＣＰＵ３１は、カート２内に格納される光ディスクＤとその格納場所との対応関係を把握することができる。
【００３８】
また、ＣＰＵ３１は、カート２内の光ディスクＤへのデータファイルの書込制御を行うごとに、書き込まれたデータファイルのファイルサイズの情報に基づいてその光ディスクＤのディスクＩＤに対応づけられる上記残容量の情報を更新すると共に、書き込んだデータファイルのファイル名の情報を上記格納ファイル名の情報として新たに追加する。また、光ディスクＤへのアクセス処理ごとにその光ディスクＤのディスクＩＤに対応づけられる最終アクセス日時の情報を更新するようにされる。
また、上記カテゴリ情報については、ＣＰＵ３１がカート２内の光ディスクＤに初回にＡＶファイルＦ-avの書込を行う際に、パーソナルコンピュータ４側から通知されたカテゴリ情報をその光ディスクＤのディスクＩＤと対応づけて格納した情報となるが、これについては後述する。
【００３９】
このようにして生成・更新されるカート管理情報３５ｂにより、カート制御装置３ではカート２内に格納される各光ディスクＤの残容量、最終アクセス日時、保管場所、カテゴリ情報、格納ファイル名の各情報を管理することができる。
【００４０】
図３に戻り、ＨＤＤ３５には、さらにアーカイブ用プログラム３５ａが格納される。このアーカイブ用プログラム３５ａは、後述する実施の形態としての動作を実現するための処理動作（図１１，図１２）をＣＰＵ３１に実行させるためのプログラムである。
なお、このアーカイブ用プログラム３５ａはメモリ部３２内に格納することもできる。
【００４１】
ここで、この図３に示すカート制御装置３において、ＣＰＵ３１は、カート２のディスク格納部２５内に格納された各光ディスクＤと、カート制御装置３内のＨＤＤ３５とを１つのボリュームとしたルート下において、各光ディスクＤを表すディレクトリと、ＨＤＤ３５を表すディレクトリとが形成されたディレクトリ構造により、各光ディスクＤに記録されたデータファイルとＨＤＤ３５に記録されたデータファイルとを管理するようにされている。
このようなディレクトリ構造を図示すれば、図９（ａ）に示すようになる。つまりこの図９（ａ）において、図示するEntry（エントリ）フォルダにより示されるディレクトリがＨＤＤ３５を表すディレクトリとなり、DSICSフォルダにより示されるディレクトリの一階層下のディレクトリ（例えば図中00000010）が、各光ディスクＤを表すディレクトリとなるものである。
【００４２】
このようにしてカート制御装置３においてＨＤＤ３５とカート２内の各光ディスクＤとを１つのボリュームとしたディレクトリ構造によりデータファイル管理を行うようにされていることで、カート制御装置３とネットワーク５を介して接続されたパーソナルコンピュータ４としても、このようなＨＤＤ３５とカート２内の各光ディスクＤとを１つのボリュームとしたルート下のディレクトリ構造を認識することができる。
なお、ディレクトリ構造によるデータファイル管理は、一般的なパーソナルコンピュータにおいても行われているものであり、ここでの詳細な説明は省略する。
【００４３】
［情報処理装置の構成］
図４は、図１に示したパーソナルコンピュータ４の内部構成を示すブロック図である。
図４において、ＣＰＵ４１は、起動されたプログラムに基づいてパーソナルコンピュータ４の全体制御、演算処理を行う。例えばユーザに対する入出力動作、ＨＤＤ５０へのデータファイルの格納や管理情報の作成・更新等を行う。
ＣＰＵ４１は、図示するバス５１を介して各部との間で制御信号やデータのやりとりを行うようにされる。
【００４４】
メモリ部４２は、ＣＰＵ４１が処理に用いるＲＯＭ、ＲＡＭ、フラッシュメモリなどを包括的に示している。
メモリ部４２におけるＲＯＭには、ＣＰＵ４１の動作プログラム、プログラムローダー等が記憶される。また、メモリ部４２におけるフラッシュメモリには、各種演算係数、プログラムで用いるパラメータ等が記憶される。
さらに、メモリ部４２におけるＲＡＭには、プログラムを実行する上でのデータ領域、タスク領域が一時的に確保される。
【００４５】
ネットワークインタフェース４３は、図示するネットワーク端子Ｔntを介して図１に示したネットワーク５と接続されており、当該ネットワーク５に接続された外部機器（この場合はカート制御装置３、サーバ装置６）との間でデータ通信を行う。
ネットワークインタフェース４３は、ＣＰＵ４１の制御に基づいて送信データのエンコード処理、受信データのデコード処理を行う。エンコードされた上記送信データについては、ネットワーク５を介して所定の外部機器に対して送信する。またネットワーク５を介して外部機器から送信されてきたデータを受信し、これをＣＰＵ４１に受け渡す。
【００４６】
ＨＤＤ５０においては、上述のようにしてＣＰＵ４１の制御に基づきデータファイルの格納や管理情報の作成・更新等が行われる。例えば、後述するメディアドライブ４９により所要のメディアから取り込んだデータファイルをこのＨＤＤ５０に格納するといったことができる。
【００４７】
また、ＨＤＤ５０に対しては、パーソナルコンピュータ４が各種の機能を実現するためのプログラムを格納することができる。特に、本実施の形態の場合、当該パーソナルコンピュータ４をアーカイブシステム１におけるユーザインタフェース部として機能させるためのアーカイブ用アプリケーション５０ａが格納される。このアーカイブ用アプリケーション５０ａには、後述する実施の形態としての動作を実現するための処理動作（図１０）をＣＰＵ４１に実行させるためのプログラムも含まれる。
【００４８】
さらに、ＨＤＤ５０に対しては、図示するサーバ側リスト情報５０ｂ、カート側リスト情報５０ｃが格納される。
サーバ側リスト情報５０ｂは、サーバ装置６側に格納されるＡＶファイルＦ-avの少なくともファイル名の情報をリスト化したリスト情報であり、その情報生成・更新動作はアーカイブ用アプリケーション５０ａ（ＣＰＵ４１）によって行われるようになっている。具体的に、アーカイブ用アプリケーション５０ａは、例えばその起動に応じサーバ装置６側から後述するＨＤＤ６５内に格納されるＡＶファイルＦ-avの少なくともファイル名の情報を取得し、これに基づいてサーバ側リスト情報５０ｂの生成又は情報更新を行うようにされる。
また、カート側リスト情報５０ｃとしても、アーカイブ用アプリケーション５０ａによってその情報生成・更新動作が行われるものである。このカート側リスト情報５０ｃの情報生成・更新動作については後述する。
【００４９】
入力部４５は、パーソナルコンピュータ４に備えられる図示しないキーボードやマウス、或いはリモートコマンダー、その他の入力デバイスであって、ユーザが各種操作入力やデータ入力を行う。入力部４５で入力された情報は入力処理部４４で所定の処理が施され、ＣＰＵ４１に対して操作又はデータの入力として伝達される。ＣＰＵ４１は入力された情報に対応して必要な演算や制御を行う。
【００５０】
メディアドライブ４９は、例えばＣＤ（Compact Disc）、ＭＤ(Mini Disc：光磁気ディスク)、ＣＤ−Ｒ(Recordable)、ＣＤ−ＲＷ（ReWritable）、ＤＶＤ、ＤＶＤ−Ｒ、ＤＶＤ−ＲＷ、Blu-ray Disc（登録商標）などの光ディスク記録媒体、またはメモリーカード（リムーバブルメディアとしての半導体メモリ装置）等の記録媒体（メディア）に対応するドライブ機能部であり、これらメディアについての記録再生動作を行うことが可能に構成される。例えばメディアとして光ディスク記録媒体に対応する場合、このメディアドライブ４９には、例えば光学ヘッド、スピンドルモータ、再生信号処理部、サーボ回路等が備えられるものとなる。
【００５１】
ドライブ制御部４８は、メディアドライブ４９に装填されたメディアについての記録再生動作、アクセス動作等を制御する。例えばユーザが入力部４５を介して装填されたメディアに対する再生操作を行った場合、ＣＰＵ４１はドライブ制御部４８にメディアの再生を指示する。するとドライブ制御部４８は、メディアドライブ４９に対してアクセス動作や再生動作を実行させるための制御を行う。メディアドライブ４９は、読み出した再生データをドライブ制御部４８に転送し、バス５１に送出する。
【００５２】
ディスプレイ４７は、例えば液晶ディスプレイなどの表示デバイスとされ、ユーザに対して各種情報表示を行う。
例えば、ＣＰＵ４１が各種動作状態や入力状態、通信状態に応じて表示情報を表示処理部４６に供給すると、表示処理部４６は供給された表示データに基づいてディスプレイ４７を駆動して表示動作を実行させる。
また、上記したメディアドライブ４９に装填されたメディアから、或いはＨＤＤ５０からビデオデータが再生された場合には、表示処理部４６がこの再生データに基づいてディスプレイ４７を駆動制御することにより映像表示を行わせる。
【００５３】
［サーバ装置の構成］
図５は、図１に示したサーバ装置６の内部構成を示すブロック図である。
先ずＣＰＵ６１は、起動されたプログラムに基づいてサーバ装置６の全体制御、演算処理を行う。例えばユーザに対する入出力動作、ＨＤＤ６５へのデータファイルの格納や管理情報の作成・更新等を行う。
ＣＰＵ６１は図示するバス６４を介して各部との間で制御信号やデータのやりとりを行うようにされる。
【００５４】
メモリ部６２は、ＣＰＵ６１が処理に用いるＲＯＭ、ＲＡＭ、フラッシュメモリなどを包括的に示している。メモリ部６２におけるＲＯＭにはＣＰＵ６１の動作プログラム、プログラムローダー等が記憶される。また、メモリ部６２におけるフラッシュメモリには、各種演算係数、プログラムで用いるパラメータ等が記憶される。
さらに、メモリ部６２におけるＲＡＭにはプログラムを実行する上でのデータ領域、タスク領域が一時的に確保される。
【００５５】
ネットワークインタフェース６３は、図示するネットワーク端子Ｔntを介して図１に示したネットワーク５と接続されており、当該ネットワーク５に接続された外部機器（特にこの場合はカート制御装置３、パーソナルコンピュータ４）との間でデータ通信を行う。
ネットワークインタフェース６３は、ＣＰＵ６１の制御に基づいて送信データのエンコード処理、受信データのデコード処理を行う。エンコードされた上記送信データについては、ネットワーク５を介して所定の外部機器に対して送信する。またネットワーク５を介して外部機器から送信されてきたデータを受信し、これをＣＰＵ６１に受け渡すようにされる。
【００５６】
ＨＤＤ６５においては、上述のようにしてＣＰＵ６１の制御に基づきデータファイルの格納や管理情報の作成・更新等が行われる。例えば、上記ネットワークインタフェース６３を介して外部機器から転送されたＡＶファイルＦ-avとしてのデータファイルは、このＨＤＤ６５に格納することができる。ここでは、このようにしてＨＤＤ６５に格納されるＡＶファイルＦ-avを、コンテンツデータ６５ａとして示している。
ここで、先にも述べたように本実施の形態のアーカイブシステム１は、放送業者等による使用が想定される業務用のシステムとされる。これに対応して、この場合のＡＶファイルＦ-avはいわゆるＭＸＦ（Material eXchange Format）ファイルであるとする。
【００５７】
［実施の形態としての動作］
上記により説明した構成によるアーカイブシステム１では、従来システムと同様にサーバ装置６に格納されるＡＶファイルＦ-avから指定されたファイルを、カート２内に格納される所要の光ディスクＤに書き込むといった動作を行う。そして、このようなカート２内の光ディスクＤへのファイル書込について、本実施の形態のアーカイブシステム１では、従来システムからの追加機能として、ＡＶファイルＦ-avを所要のカテゴリごとに分けて書き込むといった機能が追加されたものとなっている。
以下、このような実施の形態としてのアーカイブシステム１により実現される動作について説明する。
【００５８】
先ず、次の図７を参照して、光ディスクＤへのＡＶファイルＦ-avの書込指定、及びＡＶファイルＦ-avのカテゴリ指定を行うためのユーザ操作手順について説明する。
先にも述べたように、アーカイブシステム１においてこのような光ディスクＤへのＡＶファイルＦ-avの書込指示を行うためのユーザインタフェースは、パーソナルコンピュータ４により実現される。具体的に、ユーザは、パーソナルコンピュータ４のアーカイブ用アプリケーション５０ａによって実現されるＧＵＩ（Graphical User Interface）を利用して光ディスクＤに書き込むべきＡＶファイルＦ-avの指定、及びそのＡＶファイルＦ-avのカテゴリ指定を行うようにされている。
図７では、このようなＡＶファイルＦ-avの指定、及びそのＡＶファイルＦ-avのカテゴリ指定のために図４に示したディスプレイ４７上に表示されるＧＵＩ画面の画面遷移例を示している。
【００５９】
先ず、ＡＶファイルＦ-avの書込を実行させるとしたとき、ユーザは、パーソナルコンピュータ４に対する所定操作を行ってアーカイブ用アプリケーション５０ａを起動させる。そして、起動に応じて表示される画面内容に従った操作を行うことで、図７（ａ）に示すようなアーカイブファイル指定画面を表示させる。
【００６０】
図７（ａ）において、このアーカイブファイル指定画面では、サーバ装置６側に格納されるＡＶファイルＦ-avのファイル名をリスト化したサーバ側リストＬ-sと、カート２内に格納される光ディスクＤに記録される各ＡＶファイルＦ-avのファイル名、カテゴリ名、及びそのＡＶファイルＦ-avが記録される光ディスクＤのディスクＩＤの情報をリスト化したカート側リストＬ-cとが表示される。さらには、これらのリストからファイル選択を行うためのカーソルＣＲも表示される。
上記サーバ側リストＬ-sは、先の図４に示したサーバ側リスト情報５０ｂの情報内容に基づき表示されるリストであり、カート側リストＬ-cはカート側リスト情報５０ｃの情報内容に基づき表示されるリストである。
【００６１】
このアーカイブファイル指定画面において、ユーザは、図４にて説明した入力部４５におけるマウスを操作することで、カーソルＣＲを移動させてサーバ側リストＬ-sにリストアップされるファイル名の情報を選択することができる。つまり、そのファイル名の情報の付されるＡＶファイルＦ-avを選択することができる。
【００６２】
そして、このようにサーバ側リストＬ-sから所要のＡＶファイルＦ-avを選択し、次の図７（ｂ）に示されるようにこれをカート側リストＬ-c内にドラッグ＆ドロップする操作を行うことで、選択したＡＶファイルＦ-avのカート２内の光ディスクＤへの書込を指示することができる。
具体的には、ＡＶファイルＦ-avを選択した状態でマウスの例えば左クリックボタンを押圧したままマウスを動かす操作を行い、カーソルＣＲをカート側リストＬ-c内移動させた上で、上記左クリックボタンを離す操作を行うものである。
ここでは、図示するようにしてサーバ装置６側に格納されるファイル名「Ａ００１」のファイルについての光ディスクＤへの書込指示が行われたとする。
【００６３】
このようにサーバ側リストＬ-s内から選択したＡＶファイルＦ-avをカート側リストＬ-c側にドラッグ＆ドロップする操作が行われて、サーバ装置６側からカート２内の光ディスクＤへのファイル書込指示が行われたことに応じ、パーソナルコンピュータ４は、次の図７（ｃ）に示されるような質問ボックスＢx１を表示する。
この質問ボックスＢx１には、図示するようにして「カテゴライズしますか？」など、書込指示したファイルのカテゴリを指定するか否かを問うための質問メッセージと共に、「はい」ボタンＢｙ、「いいえ」ボタンＢｎとしての、質問に答えるためのボタンＢが表示される。
【００６４】
この場合もユーザは、マウスを操作してカーソルＣＲを移動させることで、これら「はい」ボタンＢｙ、「いいえ」ボタンＢｎの何れかのボタンＢを選択することができる。そして、何れかのボタンＢを選択した状態で例えば左クリックボタンを押圧することで、その選択したボタンＢの内容を決定することができる。
【００６５】
「はい」ボタンＢｙが選択・決定されてカテゴライズするとの決定が行われた場合は、次の図７（ｄ）に示されるカテゴリ選択ボックスＢx２を表示する。このカテゴリ選択ボックスＢx２には、各カテゴリ名とそのカテゴリを選択するためのチェックボックスＣＢとが表示されると共に、選択したカテゴリを指定するための「ＯＫ」ボタンＢｏが表示される。
【００６６】
このカテゴリ選択ボックスＢx２において、ユーザはマウス操作によりカーソルＣＲを指定すべきカテゴリ名が記されたチェックボックスＣＢに移動させ、ここで左クリックボタンを押圧操作することで、そのチェックボックスＣＢ内にチェックマーク（図中黒丸）を表示させることができ、これによってそのカテゴリ名を選択することができる。そして、このように所要のカテゴリ名を選択した状態で、マウス操作によりカーソルＣＲを「ＯＫ」ボタンＢｏ上に合わせ、ここで左クリックボタンを押圧することで、選択したカテゴリ名を指定することができる。
ここでは、図示するようにして「Baseball」のカテゴリ名が選択・指定されたものとする。
【００６７】
このようにして書込指定ファイルについてのカテゴリ指定が行われたことに応じては、指定されたカテゴリに応じた光ディスクＤに、指定されたＡＶファイルＦ-avを書き込むための動作が行われる。
図８は、このような指定ファイルの書込時に対応してアーカイブシステム１にて行われる動作を、カート制御装置３内のＨＤＤ３５、及びカート２内の光ディスクＤに格納されるデータファイルの遷移により説明するための図である。
【００６８】
この図８において、先ず、上記のようしてカテゴリの指定が行われたことに応じては、パーソナルコンピュータ４（ＣＰＵ４１）が、エントリフォルダ内に書込指定されたＡＶファイルＦ-avと、指定されたカテゴリとそのファイル名とを通知するためのインフォメーションファイル（以下ＩＮＦファイルとも言う）を書き込むための動作を行う。
すなわち、パーソナルコンピュータ４は、サーバ装置６に対する指示を行って書込指定されたＡＶファイルＦ-avをカート制御装置３に転送させる。そして、これと共にパーソナルコンピュータ４は、このようにサーバ装置６側から転送されるＡＶファイルＦ-avをＨＤＤ３５内に書き込むようにカート制御装置３に対する指示を行う。また、このような書込指定ファイルのエントリフォルダ内への書込のための動作と共に、パーソナルコンピュータ４は、先のカテゴリ選択ボックスＢx２にて選択・指定されたカテゴリ名を示すカテゴリ情報を通知するためのＩＮＦファイルを生成し、これをカート制御装置３に転送してＨＤＤ３５内に書き込むように指示を行う。
このような動作が行われることにより、図８（ａ）中の破線内に示すようにして、エントリフォルダ内には、この場合において書込指定されたファイル名「Ａ００１」によるＡＶファイルＦ-av（図中「Ａ００１.MXF」）と、当該書込指定されたＡＶファイルＦ-avについて指定されたカテゴリ情報を通知するためのＩＮＦファイル（図中「Ａ００１.INF」）とが生成された状態となる。
【００６９】
ここで、実施の形態の場合、ＩＮＦファイルとしては、図示した「Ａ００１.INF」のように、書込指定されたＡＶファイルＦ-avのファイル名が含まれるようにしてそのファイル名を付与するようにされている。つまり、これによってＩＮＦファイルとしては、そのファイル名の情報によって、自らに含まれるカテゴリ情報がどのＡＶファイルＦ-avについて指定されたものであるかカート制御装置３側に示すことができるようにされている。
【００７０】
一方、カート制御装置３（ＣＰＵ３１）は、外部機器からのエントリフォルダ内へのデータファイルの書込が行われるのを待機している。そして、エントリフォルダ内にＡＶファイルＦ-avとＩＮＦファイルとが書き込まれると、先ずはＩＮＦファイルから書込指定されたＡＶファイルＦ-avについて指定されたカテゴリ情報を取得する。つまり、この場合は「Baseball」によるカテゴリ情報が取得される。
【００７１】
その上で、カート制御装置３は、取得したカテゴリ情報と、先の図３（図６）に示したカート管理情報３５ｂとに基づき、カート２内にカテゴリの一致する光ディスクＤがあるか否かを判別する。
【００７２】
ここで、仮にカテゴリ情報が一致する光ディスクＤがなかった場合には、任意のブランクディスク（未記録とされる光ディスクＤ：初期化のみが行われたディスクＤも含む）を選択し、その光ディスクＤを、ＩＮＦファイルにより通知されたカテゴリに属するディスクであるとしてカテゴライズする。具体的に、このカテゴライズとしては、図８（ｂ）の破線内に示されるように、先ずは選択した光ディスクＤに対し、ＩＮＦファイルにより通知されたカテゴリ情報を示すカテゴリファイルを書き込む。
つまり、カート制御装置３は、先ずはカート管理情報３５ｂの例えば残容量の情報に基づき、任意のブランクディスクとしての光ディスクＤ（ディスクＩＤ）を選択する。そして、このように選択した光ディスクＤに対しＩＮＦファイルにより通知されたカテゴリ情報を示すカテゴリファイルが書き込まれるように、先ずはカート管理情報３５ｂから選択した光ディスクＤ（ディスクＩＤ）と対応づけられた格納場所情報（格納スロットＢinの番号情報）を取得すると共に、この取得したＢin番号情報と、所要のデッキ部の番号情報とをカート２側に指示することで、指示した光ディスクＤが指示したデッキ部（２６-1〜２６-3の何れか）に装填されるように制御する。その上で、カート２側に上記カテゴリファイルを転送して、これを上記指示したデッキ部に装填された光ディスクＤに書き込むように指示を行う。
この場合、仮に任意に選択されたブランクディスクがディスクＩＤ＝「00000010」による光ディスクＤであったとすると、上記カテゴリファイルとしては、例えば「00000010.CAT」のファイル名によるものを生成するようにされる。そして、カテゴリファイルとしては、図８（ｂ）に示されるようにして、例えば選択した光ディスクＤのディレクトリに（この場合は「00000010」フォルダによるディレクトリに）書き込まれるようにしている。
【００７３】
また、上記カテゴライズとしては、このようにして選択した光ディスクＤ自体について行うと共に、カート管理情報３５ｂ上でも行うようにされる。すなわち、カート管理情報３５ｂにおける選択したディスクＩＤと対応づけられるカテゴリ情報として、ＩＮＦファイルにより通知されたカテゴリ情報が書き込まれるように情報更新を行う。
このようにカート管理情報３５ｂ側においてもカテゴリ情報が対応づけられるようにしておくことで、上述のようにしてカテゴリ情報の一致する光ディスクＤがあるか否かについて判別を行う際に、カート２によって各光ディスクＤ内のカテゴリファイルの読み出しを実行させる必要がないものとできる。
【００７４】
そして、このようなカテゴライズを行うと、カート制御装置３は、カテゴライズを行った光ディスクＤに対して、エントリフォルダ内に書き込まれたＡＶファイルＦ-avが書き込まれるようにカート２を制御する。
ここで、カテゴライズが行われた場合は、上記のようにして既に選択された光ディスクＤが指示したデッキ部に装填された状態にあるので、カート制御装置３は、カート２側にエントリフォルダ内に書き込まれたＡＶファイルＦ-avを転送して、これを上記装填された光ディスクＤに書き込むように指示を行う。
図８（ｂ）では、エントリフォルダ内に書き込まれたＡＶファイルＦ-avが、選択した光ディスクＤ（この場合はディスクＩＤ＝「00000010」）のディレクトリ下の「Ｃｌｉｐ」フォルダのディレクトリ下に書き込まれるものとしているが、この他にも、例えば選択した光ディスクＤのフォルダ下に直接書き込むなどといったことも可能であり、書込先は選択した光ディスクＤのディレクトリ下であれば特に限定はしない。
【００７５】
一方で、例えばカート２内にＩＮＦファイルにより通知されたカテゴリと一致するカテゴリの光ディスクＤが既にあるとされた場合は、その光ディスクＤに対し、エントリフォルダ内に書き込まれたＡＶファイルＦ-avが書き込まれるようにカート２を制御する処理のみを行う。
具体的には、カート管理情報３５ｂからカテゴリ情報が一致するとして選択したディスクＩＤと対応づけられた格納場所情報（格納スロットＢinの番号情報）と、所要のデッキ部の番号情報とをカート２側に指示することで、上記選択したディスクＩＤを有する光ディスクＤが、指示したデッキ部に装填されるように制御する。その上で、カート２側にエントリフォルダ内に書き込まれたＡＶファイルＦ-avを転送して、これを上記指示したデッキ部に装填された光ディスクＤに書き込むように指示を行う。
【００７６】
このようにして、エントリフォルダ内に書き込まれたＩＮＦファイルにより通知されるカテゴリ情報に基づき選択した光ディスクＤに対し、同じくエントリフォルダ内に書き込まれたＡＶファイルＦ-avが書き込まれるものとなる。
そして、カート制御装置３は、選択した光ディスクＤに対するＡＶファイルＦ-avの書込が終了したことに応じ、図８（ｃ）に示すようにしてエントリフォルダ内から書き込んだＡＶファイルＦ-avとＩＮＦファイルとを削除し、新たにその書き込んだＡＶファイルＦ-avについてのステータスファイル（以下ＳＴＳファイルとも言う）を書き込むようにされる。
【００７７】
このＳＴＳファイルは、ＡＶファイルＦ-avが書き込まれた光ディスクＤのディスクＩＤを通知するためのファイルとされる。
つまりカート制御装置３は、選択した光ディスクＤへの、エントリフォルダ内に書き込まれたＡＶファイルＦ-avについての書込が終了したことに応じ、書込が行われた光ディスクＤ（つまり自らが選択した光ディスクＤ）のディスクＩＤの情報を含むＳＴＳファイルを生成する。そして、このようにして生成したＳＴＳファイルを、エントリフォルダ内（つまりＨＤＤ３５内）に書き込むようにされる。
【００７８】
なお、この場合のＳＴＳファイルとしては、図示するようにしてそのファイル名により、書き込んだＡＶファイルＦ-avのファイル名の情報を示すものとなっている。つまり、この場合は書き込んだＡＶファイルＦ-avのファイル名が「Ａ００１」であることに応じ、例えば「Ａ００１.STS」によるファイル名が付されたものとなっている。
このようにしてＳＴＳファイルのファイル名を付与するものとしておくことで、ＳＴＳファイルとしては、自らが通知するディスクＩＤがどのＡＶファイルＦ-avについての書込が行われた光ディスクＤのＩＤ情報であるかを示すことができる。
【００７９】
パーソナルコンピュータ４側では、先に説明したようにしてエントリフォルダ内へのＡＶファイルＦ-avとＩＮＦファイルとの書込制御を行った以降は、このようにしてカート制御装置３によりエントリフォルダ内にＳＴＳファイルが書き込まれる（生成される）のを待機するようにされる。
そして、エントリフォルダ内にＳＴＳファイルが生成された場合は、このＳＴＳファイルからディスクＩＤの情報を取得し、このディスクＩＤと、先の図７に示したＧＵＩ画面にて指定されたファイル名、カテゴリ情報とを対応づけてカート側リスト情報５０ｃに追加する。
すなわち、これによってカート側リスト情報５０ｃには、今回新たに書込指定されたＡＶファイルＦ-avのファイル名と、そのＡＶファイルＦ-avについて指定されたカテゴリ情報と、そのＡＶファイルＦ-avが書き込まれた光ディスクＤのディスクＩＤの情報とが対応づけられて追加される。
このようにしてその情報内容の更新が行われるカート側リスト情報５０ｃに基づき、パーソナルコンピュータ４では、カート２側に書き込まれた各ＡＶファイルＦ-avと、そのＡＶファイルＦ-avのカテゴリ情報と、そのＡＶファイルＦ-avが書き込まれている光ディスクＤのディスクＩＤの情報とを把握することができる。
【００８０】
図９は、先の図７（ｄ）に示したカテゴリ選択ボックスＢx２にてカテゴリの選択・指定が行われた以降に、パーソナルコンピュータ４側で表示されるＧＵＩ画面の例を示している。
先ず、カテゴリの選択・指定が行われて、先の図８にて説明したようなサーバ装置６側からカート制御装置３へのＡＶファイルＦ-avの転送、当該ＡＶファイルＦ-avの光ディスクＤへ書込から、パーソナルコンピュータ４側におけるカート側リスト情報５０ｃの更新動作までが行われている間、ディスプレイ４７上には、図９（ａ）に示すような進捗状況表示ボックスＢx３が表示される。すなわち、これによってユーザに書込処理の進捗状況を逐次通知するようにされている。
【００８１】
そして、先に述べたようにしてエントリフォルダ内に生成されたＳＴＳファイルに基づき、カート側リスト情報５０ｃの情報内容の更新を行ったことに応じ、パーソナルコンピュータ４は、次の図９（ｂ）に示すようにして、ディスプレイ４７上のカート側リストＬ-cの表示内容を、カート側リスト情報５０ｃの情報内容に基づいて更新する。
この図９（ｂ）の例では、ディスクＩＤ＝「00000010」の光ディスクＤが既に「Baseball」によるカテゴリにカテゴライズされていて、当該ディスクＩＤ＝「00000010」の光ディスクＤに対し、先の図７（ｂ）にて指定された「Ａ００１」のファイル名によるＡＶファイルＦ-avが書き込まれた場合のカート側リストＬ-cの更新例を示している。つまり、この場合としては、図示するようにしてファイル名「Ａ００１」、カテゴリ情報＝「Baseball」、ディスクＩＤ＝「00000010」が対応づけられたスロットＳが、カート側リストＬ-cに追加されるものとなる。
【００８２】
ここで、これまでの説明において、先の図７（ｃ）に示した質問ボックスＢx１においては、「いいえ」ボタンＢｎが選択・決定されて書込指定ファイルについてのカテゴライズを行わないとされる場合もある。その場合には、パーソナルコンピュータ４により、「カテゴリ指定なし」とのカテゴリ情報が生成される。すなわち、このような「カテゴリ指定なし」によるカテゴリ情報が生成されることで、仮にカート２内にこのような「カテゴリ指定なし」によるカテゴリでカテゴライズされた光ディスクＤがなかった場合には、任意に選択された光ディスクＤがこの「カテゴリ指定なし」によるカテゴリにカテゴライズされ、その後に当該カテゴライズされた光ディスクＤに対する指定されたＡＶファイルＦ-avの書込が行われる。
或いは、既に「カテゴリ指定なし」によるカテゴリでカテゴライズされた光ディスクＤがあった場合には、その光ディスクＤに対し指定されたＡＶファイルＦ-avの書込が行われるものとなる。
【００８３】
また、これまでの説明では、書込指定されたＡＶファイルＦ-avの容量（ファイルサイズ）が、カート２内に格納される各光ディスクＤの記録容量以下である場合を前提としたが、書込指定されたＡＶファイルＦ-avの容量が光ディスクＤの記録容量を上回る場合には、その指定されたＡＶファイルＦ-avを分割して複数枚の光ディスクＤにわたって書き込むものとする。
具体的に、カート制御装置３は、エントリフォルダ内にＡＶファイルＦ-avとそのＩＮＦファイルとが書き込まれたことに応じ、先ずは書き込まれたＡＶファイルＦ-avの容量チェックを行い、その容量が１枚分の光ディスクＤに収まる容量であるか否かを判別する。そして、１枚分に収まらないとされた場合には、エントリフォルダ内に書き込まれたＡＶファイルＦ-avを分割する。このとき、ファイルの分割は、光ディスクＤの１枚分の容量ごとに分割されるようにして行う。例えば、光ディスクＤの１枚分の容量が２３ＧＢ（ギガバイト）とし、書込が指定されたＡＶファイルＦ-avの容量が５０ＧＢであったとすると、それぞれのファイルの容量が２３ＧＢ、２３ＧＢ、４ＧＢとなるようにしてファイル分割を行うといったものである。
【００８４】
そして、このようなファイル分割を行うと、分割後のファイルにそれぞれファイル名を付与する。この場合のファイル名付与は、分割元のファイル名が識別できるようにして行う。具体的には、元のファイル名が「Ａ００１」であったとすれば、「Ａ００１-1」「Ａ００１-2」・・・「Ａ００１-n」のように元のファイル名のハイフン以下に番号を付加する等して行う。
【００８５】
さらに、このようなファイルの分割後には、分割されたファイルの数だけ任意のブランクディスクを選択し、それら選択した光ディスクＤのそれぞれを、エントリフォルダ内に書き込まれたＩＮＦファイルのカテゴリ情報によりカテゴライズする。
この場合のカテゴライズは、全ての光ディスクＤについて同じデッキ部を使用して行うことができる。或いは、複数のデッキ部を用いて複数の光ディスクＤについて同時並行的に行うこともできるが、何れにせよ選択した光ディスクＤのそれぞれを、エントリフォルダ内に書き込まれたＩＮＦファイルのカテゴリ情報によりカテゴライズすることができるものであれば、その手法について特に限定はしない。
【００８６】
その上で、カテゴライズした光ディスクＤのそれぞれに対し、分割ファイルが書き込まれるようにカート２を制御する。そして、各光ディスクＤへの分割ファイルの書込が終了すると、それぞれの分割ファイルごとに、そのファイル名と、それを書き込んだ光ディスクＤのディスクＩＤとを示すＳＴＳファイルを生成する。この場合もＳＴＳファイルとしては、そのファイル名によって、自らが通知するディスクＩＤが示す光ディスクＤに書き込まれたファイルのファイル名の情報が含まれるようにして生成する。例えば「Ａ００１-1」「Ａ００１-2」による２つの分割ファイルが生成された場合、ＳＴＳファイルとしては「Ａ００１-1.STS」「Ａ００１-2.STS」のファイル名を付与するといったものである。
【００８７】
そして、このように分割ファイルごとのＳＴＳファイルを生成すると、それらＳＴＳファイルと共に、分割書込通知ファイルをエントリフォルダ内に書き込む。この分割書込通知ファイルは、パーソナルコンピュータ４に対してファイルを分割して複数枚の光ディスクＤに書き込んだことを通知するファイルである。
【００８８】
一方のパーソナルコンピュータ４側では、エントリフォルダ内にＳＴＳファイルと共にこのような分割書込通知ファイルが書き込まれたことに応じ、ＳＴＳファイルから分割ファイルごとのファイル名の情報とディスクＩＤの情報とを取得する。その上で、分割ファイルごとに、取得したファイル名とディスクＩＤと、さらに指定されたカテゴリ情報とを対応づけて、それらをカート側リスト情報５０ｃにそれぞれ追加する。
これによりパーソナルコンピュータ４側では、分割されたファイルごとに、そのファイルが記録された光ディスクＤのディスクＩＤと、そのカテゴリ情報とを正しく対応づけてカート側リスト情報５０ｃに追加することができる。
【００８９】
なお、上記説明では、分割ファイルごとに光ディスクＤを選択した後、それらの光ディスクＤの全てをカテゴライズした後に、それぞれの光ディスクＤに対する分割ファイルの書込を行うものとしたが、選択した光ディスクＤの１枚ごとに、そのカテゴライズと分割ファイルの書込とを順次行うようにすることもできる。
【００９０】
ところで、本実施の形態のアーカイブシステム１において、カート２側へのＡＶファイルＦ-avの書込指定及びカテゴリ指定が行われた場合に、カート２側において既に同カテゴリにカテゴライズされた光ディスクＤがある場合には、その光ディスクＤに対して書込指定されたＡＶファイルＦ-avは書き込まれるべきものとなるが、このような場合において、仮にその光ディスクＤに充分な残容量がなかった場合には、指示されたＡＶファイルＦ-avを書き込むことができないことになる。
そこで、カート制御装置３では、このように既に同カテゴリにカテゴライズされた光ディスクＤがあった場合には、その同カテゴリの光ディスクＤについて残容量を調べ、指定されたＡＶファイルＦ-avの書込が可能な光ディスクＤがあるか否かを判別するようにされる。
【００９１】
このような判別の結果、指定されたＡＶファイルＦ-avの書込が可能な残容量を有する光ディスクＤがないとされた場合、カート制御装置３は、任意のブランクディスクを選択し、その選択した光ディスクＤについてＩＮＦファイルに基づくカテゴライズ、及びＡＶファイルＦ-avの書込制御を行う。
一方、書込指定されたＡＶファイルＦ-avの書込が可能な残容量を有する光ディスクＤがあるとされた場合、それが１つのみであればその光ディスクＤを選択し、複数ある場合はそのうちから任意の光ディスクＤを選択する。その上で、選択した光ディスクＤについてＩＮＦファイルに基づくカテゴライズ、及びＡＶファイルＦ-avの書込制御を行う。
【００９２】
このような動作が行われることで、書込指定されたＡＶファイルＦ-avについて指定されたカテゴリと同カテゴリによるカテゴライズがされた光ディスクＤが既にあり、そのうち書込指定されたＡＶファイルＦ-avを書き込むことのできる残容量を有する光ディスクＤがある場合には、その光ディスクＤに対して書込指定されたＡＶファイルＦ-avを書き込むことができる。つまり、同カテゴリのＡＶファイルＦ-avについては、同カテゴリにカテゴライズされた光ディスクＤに書き込むことができる。
【００９３】
これまでの説明のように本実施の形態のアーカイブシステム１としては、カート制御装置３が、カート２内の各光ディスクＤとカート制御装置３内のＨＤＤ３５とを１つのボリュームとしたルート下において、各光ディスクＤを表すディレクトリとＨＤＤ３５を表すディレクトリとが形成されたディレクトリ構造により、各光ディスクＤ及びＨＤＤ３５に記録されるデータファイルを管理するようにされている。
そして、このようなディレクトリ構造におけるＨＤＤ３５を表すディレクトリを、エントリフォルダとしての、書込指定ファイルのエントリ領域に設定するものとしている。すなわち、このようなエントリ領域に対し、外部機器（パーソナルコンピュータ４）からのＡＶファイルＦ-avとそのカテゴリを通知するＩＮＦファイルとの書き込みが行われた（つまりエントリされた）ことに応じ、カート制御装置３が、上記ＩＮＦファイルにより通知されるカテゴリ情報に応じて光ディスクＤを選択し、この選択した光ディスクＤに対してエントリされたＡＶファイルＦ-avが書き込まれるように制御を行っている。
【００９４】
これによれば、カート２内に格納される複数の光ディスクＤに対し所要のカテゴリごとに分けてＡＶファイルＦ-avを書き込むにあたり、パーソナルコンピュータ４側は、上記エントリフォルダとしての所定のディレクトリに対して指定されたＡＶファイルＦ-avとＩＮＦファイルを書き込むのみでよいものとなる。すなわち、この結果、例えばパーソナルコンピュータ４側で指定カテゴリ情報に応じてＡＶファイルＦ-avを書き込むべき光ディスクＤの選択を行う場合と比較すれば、パーソナルコンピュータ４側の処理負担を軽減することができる。
先の説明から理解されるように、カテゴリ情報に応じた光ディスクＤの選択処理は、各光ディスクＤのカテゴリ判別や残容量の確認処理等を伴うもとなるので、この選択処理を行わないことによる処理の負担の軽減効果は相当に大きなものとなる。
【００９５】
また、本実施の形態において、カート制御装置３は、エントリフォルダにエントリされたＡＶファイルＦ-avが、選択した光ディスクＤに書き込まれたことに応じ、そのエントリされたＡＶファイルＦ-avを書き込んだ光ディスクＤのディスクＩＤを通知するＳＴＳファイルをエントリフォルダ内に書き込むようにされる。
これによりパーソナルコンピュータ４は、このＳＴＳファイルが通知するディスクＩＤの情報に基づき、書込指示を行ったＡＶファイルＦ-avが記録された光ディスクＤを正しく把握することができる。
【００９６】
また、パーソナルコンピュータ４は、このようにしてＳＴＳファイルから取得されるディスクＩＤと、書込指定されたＡＶファイルＦ-avのファイル名と、そのＡＶファイルＦ-avについて指定されたカテゴリ情報とを対応づけて記憶する（実際にはカート側リスト情報５０ｃに追加する）ものとしているが、これによりパーソナルコンピュータ４側では、これまでにカート２側への書込が指示されたＡＶファイルＦ-avがどのカテゴリに属し、またどの光ディスクＤに記録されているかを把握することができる。
【００９７】
また、本実施の形態では、上記のようにして光ディスクＤへのＡＶファイルＦ-avの書込指示を、書き込むべきＡＶファイルＦ-avをエントリフォルダ内にエントリさせることと定義したことで、例えばネットワーク５に対して複数のパーソナルコンピュータ４が接続され、カート制御装置３に対し各パーソナルコンピュータ４からのＡＶファイルＦ-avの書込指示及びそのカテゴリ指定が行われた場合にも、カート制御装置３はそれぞれのエントリファイルに応じた処理を実行することで、それら書込指示されたＡＶファイルＦ-avが指定カテゴリに応じた光ディスクＤに正しく書き込まれるようにすることができる。
【００９８】
また、実施の形態では、ＳＴＳファイルとして、例えば先の「Ａ００１.STS」などのファイル名により、書込指示されたＡＶファイルＦ-avのファイル名の情報も含ませるようにしているが、これによりパーソナルコンピュータ４側が、エントリフォルダ内に生成されたＳＴＳファイルが自らが書込指示したファイルについてのＳＴＳファイルであるか否かを正しく判別することができる。つまり、これによれば、上述のようにして複数のパーソナルコンピュータ４からの書込指示が行われていた場合にも、エントリフォルダ内に生成されたＳＴＳファイルが自らが書込指示したファイルについてのものかどうかを正しく判別でき、これによって各パーソナルコンピュータ４では、他のパーソナルコンピュータ４によって書込指示されたファイルが書き込まれた光ディスクＤのディスクＩＤの情報が誤って取得されてしまうといった事態が防止され、書込指示したファイルがどの光ディスクＤに書き込まれたかを正しく認識することができる。
【００９９】
また、実施の形態では、書込指示されたＡＶファイルＦ-avについての書込が終了したことに応じて、エントリフォルダ内からエントリされたＡＶファイルＦ-avとＩＮＦファイルを消去するものとしているが、これによってはＨＤＤ３５の使用容量をセーブすることができるというメリットもある。
【０１００】
また、実施の形態において、パーソナルコンピュータ４側では、光ディスクＤに書き込むべきＡＶファイルＦ-avの指定と共に、そのカテゴリ指定を行うためのカテゴリ選択ボックスＢx２も表示するものとしたが、このことにより、ユーザにカテゴリを指定したＡＶファイルＦ-avの書込指定を行わせることができる。
【０１０１】
また、パーソナルコンピュータ４では、カート側リストＬ-cの表示内容として、ファイル名、ディスクＩＤと共にカテゴリの情報も対応づけて表示するものとしたことで、ユーザは各ファイルが記録される光ディスクＤのディスクＩＤの情報と共に、各ファイルのカテゴリを知ることができる。
例えば、カート２にてＡＶファイルＦ-avが書き込まれた光ディスクＤは、所要のタイミングで資料室等に移されて保管されることが想定されるが、このようにパーソナルコンピュータ４がリストとして各ファイルのファイル名とそれが記録される光ディスクＤのディスクＩＤと各ファイルのカテゴリとを表示可能とされていることで、ユーザは当該リストの表示内容に基づき、資料室内の各光ディスクＤに記録されるファイルについてのカテゴリごとの管理も行うことができる。
【０１０２】
［処理動作］
続いては、以下の図１０〜図１２のフローチャートを参照して、上記により説明した実施の形態としてのアーカイブシステム１の動作を実現するために行われるべき処理動作について説明する。
なお、これらの図において、図１０により示すパーソナルコンピュータとしての処理動作は、図４に示したＣＰＵ４１がアーカイブ用アプリケーション５０ａの一部のプログラムに従って実行するものである。また、図１１、図１２により示すカート制御装置としての処理動作は、図３に示したＣＰＵ３１がアーカイブ用プログラム３５ａに従って実行するものである。
また、これらの図においては、既にカート制御装置３とパーソナルコンピュータ４とサーバ装置６とがネットワーク５を介してデータ通信可能に接続された状態にあるとする。同様に、カート制御装置３とカート２としてもデータ通信可能に接続された状態にあるとする。なお、カート２とサーバ装置６にて実行されるべき処理動作についての図示による説明は省略する。
【０１０３】
図１０は、パーソナルコンピュータ４側にて行われるべき処理動作について示している。
先ず、ステップＳ１０１では、アーカイブファイル指定画面の表示処理を実行する。すなわち、先の図７（ａ）に示したアーカイブファイル指定画面としての表示データを表示処理部４６に供給して、これがディスプレイ４７により表示されるように指示を行う。
【０１０４】
ステップＳ１０２では、ファイルの指定を待機する。
先の説明によれば、この場合のカート２内の光ディスクＤへのＡＶファイルＦ-avの書込指定は、アーカイブ指定画面内に表示されるサーバ側リストＬ-sにリストアップされるＡＶファイルＦ-avをカート側リストＬ-c内にドラッグ＆ドロップする操作により行われる。従ってステップＳ１０２では、ディスプレイ４７上に表示されるアーカイブ指定画面内にてこのようなドラッグ＆ドロップ操作が行われるのを待機するようにされる。
【０１０５】
上記のようなドラッグ＆ドロップ操作が行われてファイルの指定が行われたとされた場合は、ステップＳ１０３において、質問ボックスの表示処理を実行する。つまり、先の図７（ｃ）に示したような質問ボックスＢx１が表示されるように表示処理部４６に表示データの供給及び指示を行う。
【０１０６】
続くステップＳ１０４では、カテゴリ指定するか否かについて判別処理を行う。すなわち、上記のようにして表示された質問ボックスＢx１における「はい」ボタンＢｙを選択・決定する操作が行われて、カテゴリ指定を行うとの操作入力があったか否かを判別するものである。
【０１０７】
ステップＳ１０４において、「はい」ボタンＢｙを選択・決定する操作が行われずに（つまり「いいえ」ボタンＢｎを選択・決定する操作が行われて）、カテゴリ指定を行わないとされた場合は、ステップＳ１０５に進み、指定ファイルとカテゴリ指定なしによるカテゴリ情報を含むＩＮＦファイルとをエントリフォルダ内に書き込むための処理を実行する。すなわち、先のステップＳ１０２にて指定が行われたとされたＡＶファイルＦ-avがサーバ装置６からカート制御装置３に転送されるようにサーバ装置６に対する指示を行うと共に、このようにサーバ装置６から転送されるＡＶファイルＦ-avをＨＤＤ３５内に書き込むようにカート制御装置３に対する指示を行う。さらに、この場合のカテゴリ指定しないとの操作入力に応じ、カテゴリ指定なしによるカテゴリ情報を含む（通知する）ＩＮＦファイルを生成し、これをカート制御装置３に転送してＨＤＤ３５内に書き込むように指示を行う。
このとき、上記ＩＮＦファイルには、先に述べたようにして指定されたＡＶファイルＦ-avのファイル名の情報を含むファイル名を付与する。なお、このことは後のステップＳ１０７についても同様である。
【０１０８】
一方、ステップＳ１０４において、「はい」ボタンＢｙを選択・決定する操作が行われてカテゴリ指定を行うとされた場合は、ステップＳ１０６に進み、カテゴリ選択・指定のための処理を実行する。具体的には、ディスプレイ４７上に先の図７（ｄ）に示したようなカテゴリ選択ボックスＢx２が表示されるように表示処理部４６に対する表示データの供給及び指示を行う。そして、このカテゴリ選択ボックスＢx２内にて、操作入力に応じチェックボックスＣＢ内にチェックマークを表示するための処理や、「ＯＫ」ボタンＢｏの選択・決定操作の受け付けを行い、カテゴリの指定を受け付ける。
【０１０９】
そして、続くステップＳ１０７では、指定ファイルと指定カテゴリ情報を含むＩＮＦファイルとをエントリフォルダ内に書き込むための処理を実行する。このステップＳ１０７としても、先のステップＳ１０５と同様に、先ずはステップＳ１０２にて指定が行われたとされたＡＶファイルＦ-avがサーバ装置６からカート制御装置３に転送されるようにサーバ装置６に対する指示を行うと共に、このようにサーバ装置６から転送されるＡＶファイルＦ-avをＨＤＤ３５内に書き込むようにカート制御装置３に対する指示を行う。その上でこのステップＳ１０７では、上記ステップＳ１０６にて指定されたカテゴリを表すカテゴリ情報を含むＩＮＦファイルを生成し、これをカート制御装置３に転送してＨＤＤ３５内に書き込むように指示を行う。
【０１１０】
上記ステップＳ１０７、又は先のステップＳ１０５の処理を実行すると、ステップＳ１０８に処理を進める。
ステップＳ１０８では、エントリフォルダ監視処理を実行する。そして、続くステップＳ１０９では、ＳＴＳファイルが生成されたか否かを判別する。つまり、これらステップＳ１０８、Ｓ１０９によっては、エントリフォルダ内にＳＴＳファイルが生成されたか否かについて判別するようにされているものである。ステップＳ１０９において、エントリフォルダ内にＳＴＳファイルが生成されていないとして否定結果が得られた場合は、ステップＳ１０８の監視処理に戻るようにされる。
【０１１１】
そして、ステップＳ１０９において肯定結果が得られ、エントリフォルダ内にＳＴＳファイルが生成されたとした場合は、ステップＳ１１０に進みファイル分割書込通知ファイルの有無を判別するようにされる。
このステップＳ１１０において、エントリフォルダ内にファイル分割書込通知ファイルがないとして否定結果が得られた場合は、ステップＳ１１１に進み、ＳＴＳファイルからディスクＩＤの情報を取得した上で、続くステップＳ１１２において、ファイル名と取得したディスクＩＤとカテゴリとを対応づけてリストに追加するための処理を実行する。このステップＳ１１２では、先のステップＳ１０２にて指定されたＡＶファイルＦ-avのファイル名と、ステップＳ１１１にて取得したディスクＩＤの情報と、カテゴリ情報とが対応づけられてカート側リスト情報５０ｃに追加されるように、カート側リスト情報５０ｃの情報内容を更新する処理を行う。この場合、上記カテゴリ情報は、先のステップＳ１０４にてカテゴリ指定するとされなかった場合はステップＳ１０５よるカテゴリ指定なしによるカテゴリ情報となり、カテゴリ指定が行われた場合はステップＳ１０６にて指定されたカテゴリ情報となる。
【０１１２】
ここで、上記のようにしてステップＳ１１１では、エントリフォルダ内に生成されたＳＴＳファイルに基づき書込指定したＡＶファイルＦ-avの書き込まれた光ディスクＤのディスクＩＤの情報を取得するようにされるが、先にも述べたように、アーカイブシステム１としては、複数のパーソナルコンピュータ４がネットワーク５に接続され、エントリフォルダ内に複数のパーソナルコンピュータ４からのファイルのエントリが行われる場合も想定される。
その場合には、他のパーソナルコンピュータ４が書込指定したＡＶファイルＦ-avについて生成されたＳＴＳファイルから誤ったディスクＩＤの情報が取得されてしまわないように、上記ステップＳ１１１としては、エントリフォルダ内に生成されたＳＴＳファイルのファイル名の情報に基づいて自らが書込指示したＡＶファイルＦ-avについてのＳＴＳファイルであるか否かを判別し、この判別結果に基づき自らが書込指示したＡＶファイルＦ-avについてのＳＴＳファイルからディスクＩＤの情報を取得するようにする。
なお、このことは、次に説明するステップＳ１１３についても同様である。
【０１１３】
一方、上記ステップＳ１１０においてエントリフォルダ内にファイル分割書込通知ファイルがあるとして肯定結果が得られた場合は、ステップＳ１１３に進み、ＳＴＳファイルから分割ファイルごとのディスクＩＤを取得する。ここで、分割書込通知ファイルが生成される場合は、先のステップＳ１０５又はＳ１０７にてエントリフォルダ内に書き込んだＡＶファイルＦ-avがカート制御装置３側にて分割され、ＳＴＳファイルとしてはそれら分割ファイルごとにそのファイル名の情報とその分割ファイルが書き込まれた光ディスクＤのディスクＩＤの情報とを含んだファイルが生成される。ステップＳ１１３では、このような複数のＳＴＳファイルから、それぞれに含まれるディスクＩＤの情報を取得する。
【０１１４】
そして、続くステップＳ１１４においては、分割ファイルごとに、ファイル名と取得したディスクＩＤとカテゴリ情報とを対応づけてリストに追加するための処理を行う。つまり、個々のＳＴＳファイルごとに、それに含まれるファイル名の情報とディスクＩＤの情報と、さらにカテゴリ情報とを対応づけて、それらがカート側リスト情報５０ｃに追加されるようにカート側リスト情報５０ｃの情報内容を更新する処理を行う。この場合としても、上記カテゴリ情報は、先のステップＳ１０４にてカテゴリ指定するとされなかった場合はステップＳ１０５よるカテゴリ指定なしによるカテゴリ情報となり、カテゴリ指定が行われた場合はステップＳ１０６にて指定されたカテゴリ情報となる。
【０１１５】
そして、上記ステップＳ１１４、又は先のステップＳ１１２の処理を実行すると、ステップＳ１１５に処理を進めて、リスト表示更新のための処理を実行する。すなわち、ディスプレイ４７上のカート側リストＬ-cの表示内容が、上記のようにして更新したカート側リスト情報５０ｃの情報内容に基づいて更新されるように表示処理部４６を制御する。
【０１１６】
なお、図示による説明は省略したが、ＣＰＵ４１は、この図に示す処理動作と並行した処理として、ステップＳ１０４にてカテゴリ指定しないことが判別された以降、又はステップＳ１０６にてカテゴリの選択・指定が行われた以降において、ディスプレイ４７上に先の図９（ａ）に示したような進捗状況表示ボックスＢx３が表示されるように表示処理部４６を制御する処理を実行すると共に、ステップＳ１１５にてリスト表示の更新が行われるまで、このような進捗状況表示ボックスＢx３内にて書込処理の進捗状況を逐次通知する表示が行われるように表示処理部４６を制御する処理を実行するようにされている。
【０１１７】
続いて図１１、図１２は、カート制御装置３側にて行われるべき処理動作について示している。
図１１において、先ずステップＳ２０１では、エントリフォルダへのファイルエントリを待機するようにされる。つまり、ＨＤＤ３５内にＡＶファイルＦ-avとＩＮＦファイルとが書き込まれて、エントリフォルダへのそれらファイルのエントリが行われるのを待機する。
【０１１８】
そして、ファイルエントリがあったとされた場合は、ステップＳ２０２において、書込指定ファイルの容量チェック処理を実行する。すなわち、エントリフォルダ内にエントリされて書込指定されたＡＶファイルＦ-avについて、例えばそのタグ情報等からファイルサイズの情報を取得する。
【０１１９】
続くステップＳ２０３では、エントリファイルが１枚の光ディスクＤに収まるか否かについて判別処理を行う。上記ステップＳ２０２にて取得したＡＶファイルＦ-avのファイルサイズの値が、予め定められた所定値以下とはなっておらず、１枚の光ディスクＤには収まらないとして否定結果が得られた場合は、図１２に示されるステップＳ２１２以降の処理を実行する。なお、これら図１２に示す処理動作については後述する。
また、ステップＳ２０３において、ステップＳ２０２にて取得したファイルサイズの値が予め定められた所定値以下であって、１枚の光ディスクＤに収まるとされて肯定結果が得られた場合は、ステップＳ２０４に処理を進める。
【０１２０】
ステップＳ２０４では、ＩＮＦファイルにより指定カテゴリ情報を取得する。
そして、続くステップＳ２０５では、同一カテゴリのディスクがあるか否かについて判別処理を行う。つまり、取得したカテゴリ情報とカート管理情報３５ｂとに基づき、カート２内にカテゴリの一致する光ディスクＤがあるか否かを判別する。
【０１２１】
ステップＳ２０５において、同一カテゴリのディスクがあるとして肯定結果が得られた場合は、ステップＳ２０６に進み、指定ファイルの書込可能な空き容量を有するディスクがあるか否かについて判別処理を行う。つまり、先のステップＳ２０２にて取得したファイルサイズの情報と、カート管理情報３５ｂにおける同一カテゴリの光ディスクＤについての残容量の情報とに基づき、書込指定されたＡＶファイルＦ-avの書込が可能な光ディスクＤがあるか否かについて判別処理を行う。
【０１２２】
書込可能な光ディスクＤがなかったとして否定結果が得られた場合は、後述するステップＳ２０８に処理を進める。
また、書込可能な光ディスクＤがあったとして肯定結果が得られた場合は、ステップＳ２０７に進み、ディスク選択処理として、書込可能とされた光ディスクＤを選択する。先にも述べたように、書込可能とされた光ディスクＤが２枚以上あるとされた場合は、それらのうちから任意の光ディスクＤを選択するものとされる。
このようなディスク選択処理を実行すると、後述するステップＳ２１０に進む。
【０１２３】
また、先のステップＳ２０５において、同一カテゴリのディスクがないとして否定結果が得られた場合は、ステップＳ２０８に進み任意のブランクディスクを選択し、続くステップＳ２０９において選択したブランクディスクとしての光ディスクＤのカテゴライズ処理を実行する。
つまり、上記ステップＳ２０８においては、カート管理情報３５ｂの情報内容（例えば残容量や格納ファイルの有無）に基づき、カート２内に格納される光ディスクＤのうちから任意のブランクディスクを選択する。そして、ステップＳ２０９のカテゴライズ処理としては、先ずは選択した光ディスクＤに対し、先の図８（ｂ）に示したようにその光ディスクＤのディレクトリ下にＩＮＦファイルにより通知されたカテゴリ情報を示すカテゴリファイルが書き込まれるようにカート２（コントローラ２２）に対する制御を行う。そして、これと共に、カート管理情報３５ｂにおける上記選択した光ディスクＤのディスクＩＤに対し、ＩＮＦファイルにより通知されたカテゴリ情報が対応づけられるようにカート管理情報３５ｂの情報内容を更新する処理を実行する。
このステップＳ２０９によるカテゴライズ処理を実行すると、ステップＳ２１０に進む。
【０１２４】
ステップＳ２１０では、選択したディスクに指定ファイルを書き込むための処理を実行する。
具体的に、上記ステップＳ２０９にてディスクのカテゴライズが行われた状態から当該ステップＳ２１０が実行される場合には、上記カテゴリファイルの書込に伴いカート２内においては既に指示したデッキ部に選択した光ディスクＤが装填された状態にあるので、ステップＳ２１０としては書込指定されたＡＶファイルＦ-avがそのデッキ部によって書き込まれるようにカート２側を制御する。
一方、先のステップＳ２０７において光ディスクＤの選択のみが行われた状態から当該ステップＳ２１０が実行される場合には、カート２により選択した光ディスクＤを所要のデッキ部に搬送・装填させる必要がある。そのため、この場合のステップＳ２１０としては、先ずは選択した光ディスクＤのディスクＩＤと対応づけられた格納場所情報（格納スロットＢinの番号情報）をカート管理情報３５ｂから取得し、このＢin番号情報と所要のデッキ部の番号情報とをカート２側に指示することで、選択した光ディスクＤが指示したデッキ部に搬送・装填されるように制御する。その上で、カート２側に書込指定されたＡＶファイルＦ-avを転送して、これを上記指示したデッキ部に装填された光ディスクＤに書き込むように指示を行う。
【０１２５】
このような書込処理が行われて、選択した光ディスクＤに対する書込指定ファイルの書込が終了したことに応じ、次のステップＳ２１１では、書込ディスクのＩＤを含むＳＴＳファイルをエントリフォルダ内に書き込むようにされる。つまり、選択した光ディスクＤのディスクＩＤを含む（通知する）ＳＴＳファイルを生成し、これをエントリフォルダ内に書き込む。
このＳＴＳファイルについても、先のＩＮＦファイルの場合と同様に、書き込まれたＡＶファイルＦ-avのファイル名を含むファイル名を付与するようにされる。これによって書込を行ったＡＶファイルＦ-avとそれが書き込まれた光ディスクＤとの対応関係を正しく表すようにすることができる。
【０１２６】
そして、続くステップＳ２２０では、書込指定ファイルとＩＮＦファイルをエントリフォルダ内から消去する処理を実行する。すなわち、書込指定されたＡＶファイルＦ-avと、このＡＶファイルＦ-avと共にエントリフォルダ内に書き込まれたＩＮＦファイルとをＨＤＤ３５から消去する。
【０１２７】
図１２は、先のステップＳ２０３において書込指定ファイルが１枚のディスクに収まらないとして否定結果が得られた場合に行われるべき処理動作について示している。
図１２において、先ずステップＳ２１２では、ファイル分割処理を実行する。すなわち、エントリフォルダ内に書き込まれたＡＶファイルＦ-avを分割する処理を行う。先にも述べたように、この場合のファイルの分割処理は、光ディスクＤの１枚分の容量ごとに分割されるようにして行う。
【０１２８】
続くステップＳ２１３では、分割後のファイルにそれぞれファイル名を付与する。この場合のファイル名付与は、分割元のファイル名が識別できるようにして行う。例えば先に述べたようにして元のファイル名のハイフン以下に番号を付加する等して行う。
【０１２９】
ステップＳ２１４では、分割したファイル数に応じた数のブランクディスクを選択する。そして、続くステップＳ２１６では、各ディスクのカテゴライズ処理を実行する。すなわち、選択したブランクディスクとしてのそれぞれの光ディスクＤについて、エントリフォルダ内に書き込まれたＩＮＦファイルのカテゴリ情報に基づくカテゴライズ処理を行う。なお、このように各光ディスクＤについて行われるカテゴライズ処理の内容は、先のステップＳ２０９と同様である。
【０１３０】
さらに、次のステップＳ２１７では、各ディスクにファイルの書込を行うための処理を実行する。つまり、カテゴライズした光ディスクＤのそれぞれに対し、ステップＳ２１２により生成された分割ファイルがそれぞれ書き込まれるようにカート２を制御する。
【０１３１】
そして、このような各光ディスクＤへの分割ファイルの書込が終了したことに応じ、次のステップＳ２１８では、分割ファイルごとに、書込ファイル名と書込ディスクのＩＤとを含むＳＴＳファイルを生成する。つまり、分割ファイルごとに、そのファイル名とそれを書き込んだ光ディスクＤのディスクＩＤとを含むＳＴＳファイルを生成する。
この場合も各ＳＴＳファイルについては、それぞれ書込を行ったファイルのファイル名が含まれるファイル名を付与するようにされている。つまり、これによって各ＳＴＳファイルには、対応する分割ファイルのファイル名とそれを書き込んだ光ディスクＤのディスクＩＤの情報とが含まれるものとなる。
【０１３２】
続くステップＳ２１９では、それらのＳＴＳファイルと分割書込通知ファイルとをエントリフォルダ内に書き込む。そして、このステップＳ２１９の処理を実行すると、先の図１１に示したステップＳ２２０に処理を進めるようにされる。
【０１３３】
［変形例］
以上、本発明の実施の形態について説明したが、本発明としてはこれまでに説明した実施の形態に限定されるべきものではない。
例えば、実施の形態では、カート２とカート制御装置３とが別体とされる場合を例示したがこれらを一体で構成することもできる。その場合、カート２には、外部データインタフェース２１の代わりにカート制御装置３が備えるネットワークインタフェース３３が備えられると共に、ＨＤＤ３５が追加される。さらに、コントローラ２２がＣＰＵ３１としての処理、及び光ディスクＤとＨＤＤ３５に記録されるデータファイルのディレクトリ管理を行うように構成されることになる。
【０１３４】
また、実施の形態では、サーバ装置６のＨＤＤ６５内に格納されたデータファイルをカート２内に格納される光ディスクＤに書き込む場合を例示したが、パーソナルコンピュータ４の例えばＨＤＤ５０内に格納されるデータファイルを光ディスクＤに書き込むようにすることもできる。その場合もパーソナルコンピュータ４は、書込指定されたデータファイルとそのＩＮＦファイルとをエントリフォルダ内に書き込むことで、カート制御装置３に対しそのデータファイルについての光ディスクＤへの書込指示を行うことができる。
【０１３５】
また、実施の形態では、光ディスクＤについてのカテゴライズの際に、光ディスクＤ自体にカテゴリファイルを書き込む場合を例示したが、例えば実施の形態のようにカート管理情報３５ｂ内の選択した光ディスクＤのディスクＩＤに対応づけてカテゴリ情報を格納する等して、各光ディスクＤとそのカテゴリとの対応関係を管理するための管理情報別途生成しておくものとする場合には、必ずしも光ディスクＤ自体にカテゴリファイルを書き込む必要はない。
【０１３６】
また、実施の形態では、本発明でいう「第１の記録媒体」が光ディスク記録媒体（光ディスクＤ）とされる場合を例示したが、例えば磁気テープ記録媒体等の他の記録媒体とすることもできる。
また、「第２の記録媒体」がＨＤＤ（ＨＤＤ３５）とされる場合を例示したが、例えばフラッシュメモリ等の他の記録媒体とすることもできる。
【０１３７】
また、実施の形態では、光ディスクＤに書き込むべきとして指定されるデータファイルがＡＶファイルＦ-avとされ、光ディスクＤにはこのように書込指定されたＡＶファイルＦ-avが書き込まれるものとしたが、例えばオーディオデータファイルや画像データファイル等、他のデータファイルについて書込指定が行われる場合にも、本発明は好適に適用することができる。
【図面の簡単な説明】
【０１３８】
【図１】実施の形態の記録システムの概要について説明するための図である。
【図２】実施の形態の記録装置の内部構成について示すブロック図である。
【図３】実施の形態の記録制御装置の内部構成について示すブロック図である。
【図４】実施の形態の情報処理装置の内部構成について示すブロック図である。
【図５】サーバ装置（外部の記憶装置）の内部構成について示すブロック図である。
【図６】実施の形態の記録制御装置に格納される管理情報のデータ構造を示すデータ構造図である。
【図７】データファイルの書込指定及びデータファイルのカテゴリ指定を行うためのユーザ操作手順について説明するための図として、情報処理装置により表示されるＧＵＩ画面の画面遷移例を示した図である。
【図８】指定データファイルの書込時に対応して記録システムにて行われる動作を、第２の記録媒体（エントリフォルダ）及び第１の記録媒体（ＤＩＳＣＳフォルダ）に格納されるデータファイルの遷移により説明するための図である。
【図９】カテゴリの選択・指定が行われた以降に情報処理装置側で表示されるＧＵＩ画面の例を示した図である。
【図１０】実施の形態の記録システムとしての動作を実現するために情報処理装置側で実行されるべき処理動作について示したフローチャートである。
【図１１】実施の形態の記録システムとしての動作を実現するために記録制御装置側で実行されるべき処理動作について示したフローチャートである。
【図１２】実施の形態の記録システムとしての動作を実現するために記録制御装置側で実行されるべき処理動作として、特に指定データファイルの容量が１つの第１の記録媒体の容量内に収まらない場合に対応して行われるべき処理動作について示したフローチャートである。
【符号の説明】
【０１３９】
１  アーカイブシステム、２  カート、３  カート制御装置、４  パーソナルコンピュータ、５  ネットワーク、６  サーバ装置、２１，３４  外部データインタフェース、Ｔio  インタフェース端子、２２  コントローラ、２３  搬送制御部、２４  ディスク搬送部、２５  ディスク格納部、Ｂin  格納スロット、Ｄ  光ディスク、２６  記録再生部、２６-1〜２６-3  デッキ部、３１,４１,６１  ＣＰＵ、３２,４２,６２  メモリ部、３３,４３,６３  ネットワークインタフェース、Ｔnt  ネットワーク端子、３５,５０,６５  ＨＤＤ、３５ａ  アーカイブ用プログラム、３５ｂ  カート管理情報、３６,５１,６４  バス、４４  入力処理部、４５  入力部、４６  表示処理部、４７  ディスプレイ、４８  ドライブ制御部、４９  メディアドライブ、５０ａ  アーカイブ用アプリケーション、５０ｂ  サーバ側リスト、５０ｃ  カート側リスト、６５ａ  コンテンツデータ
【図１】
2008047262.tif 000003
【図２】
2008047262.tif 000004
【図３】
2008047262.tif 000005
【図４】
2008047262.tif 000006
【図５】
2008047262.tif 000007
【図６】
2008047262.tif 000008
【図７】
2008047262.tif 000009
【図８】
2008047262.tif 000010
【図９】
2008047262.tif 000011
【図１０】
2008047262.tif 000012
【図１１】
2008047262.tif 000013
【図１２】
2008047262.tif 000014